(57)【要約】【課題】  ユーザ個別の事情に鑑みた要素間の因果関係又は今まで着目されていなかった要素間の因果関係をユーザに認識させることができる情報出力システムを提供する。【解決手段】  情報出力システムは、ユーザ情報に基づいて、ユーザＵａの複数の要素のスコアの時系列遷移を示す情報を認識するスコア情報認識部２１と、前記情報に基づいて、一の要素のスコアの時系列遷移と他の要素のスコアの時系列遷移との関係を認識する関係認識部２２と、前記関係に基づいて、互いに関係を有する要素の一又は複数の組を示す情報を前記出力部３１に出力する出力制御部３５ａとを備える。【選択図】図２３
2019075120.tif 000002
【特許請求の範囲】
【請求項１】
ユーザの固有のユーザ情報を認識するユーザ情報認識部と、
情報を出力する出力部と、
前記ユーザ情報に基づいて、前記ユーザの複数の要素のスコアの時系列遷移を示す情報を認識するスコア情報認識部と、
前記情報に基づいて、一の要素のスコアの時系列遷移と他の要素のスコアの時系列遷移との関係を認識する関係認識部と、
前記関係に基づいて、一又は複数の組の関係を示す情報を前記出力部に出力する出力制御部とを備えることを特徴とする情報出力システム。
【請求項２】
請求項１記載の情報出力システムにおいて、
前記ユーザ情報認識部は、ユーザの属性である対象の属性を含むユーザ情報を認識するように構成され、
前記関係認識部は、複数のユーザの情報に基づいて、当該複数のユーザに共通のそれぞれの属性ごとに、各要素間の関係を認識するように構成され、
前記出力制御部は、前記対象の属性に対し、前記対象の属性に対応する関係に基づいて、前記対象の属性に対応し、かつ、互いに関係する要素の一又は複数の組を示す情報を前記出力部に出力するように構成されていることを特徴とする情報出力システム。
【請求項３】
請求項１又は２記載の情報出力システムにおいて、
互いに相関を有する要素を示す情報及び当該要素間の相関係数を記憶する相関情報記憶部と、
ユーザの最新の情報である現状ユーザ情報を認識する現状ユーザ情報認識部と、
前記現状ユーザ情報に示されるユーザの第１要素を認識する第１要素認識部と、
前記互いに相関を有する要素を示す情報に基づいて、前記第１要素と相関のある前記ユーザの第２要素を抽出する第２要素抽出部と、
前記要素間の前記相関係数及び前記現状ユーザ情報に示される前記第１要素のスコアに基づいて、ユーザの第２要素の将来のスコアを予測する予測部とを備え、
前記出力制御部は、前記ユーザの第２要素の将来のスコアに応じた情報を前記出力部に出力するように構成されていることを特徴とする情報出力システム。
【請求項４】
請求項３記載の情報出力システムにおいて、
前記第１要素は、肌、体および心のうちの一に関する要素であり、前記第２要素は、肌、体および心のうちの他に関する要素であることを特徴とする情報出力システム。
【請求項５】
請求項３記載の情報出力システムにおいて、
前記第１要素はユーザの行動であり、前記第２要素は肌、体および心のうちの一に関する要素であることを特徴とする情報出力システム。
【請求項６】
請求項１〜５のうちいずれか１項記載の情報出力システムにおいて、
前記関係に基づいて認識される互いに相関を有する要素を示す情報及び当該要素間の相関係数を記憶する相関情報記憶部と、
ユーザの最新の情報である現状ユーザ情報を認識する現状ユーザ情報認識部と、
前記現状ユーザ情報に示されるユーザの肌、体及び心のうちの少なくとも一に関連する要素である第１要素を認識する第１要素認識部と、
前記互いに相関を有する要素を示す情報に基づいて、前記第１要素と相関を有し、かつ、ユーザの肌、体及び心のうちの少なくとも一に関連する要素である第２要素を抽出する第２要素抽出部と、
前記相関係数及び前記現状ユーザ情報に示される前記第１要素のスコアに基づいて、ユーザの第２要素の将来のスコアを予測する予測部とを備え、
前記ユーザの第２要素の将来のスコアが所定範囲に含まれる場合、前記第２要素の将来のスコアを前記所定範囲の範囲外にする行動を認識する行動認識部とを備え、
前記出力制御部は、前記行動の実施または回避を推奨する情報を前記出力部に出力するように構成されていることを特徴とする情報出力システム。
【請求項７】
請求項６記載の情報出力システムにおいて、
前記相関情報記憶部は、各要素と相関を有する行動及び各要素と行動との相関係数を示す相関行動情報を記憶するように構成され、
前記行動認識部は、前記ユーザの第２要素の将来のスコアが所定範囲に含まれる場合、前記相関行動情報に基づいて、前記第１要素または前記第２要素と相関を有し、かつ、前記第２要素の将来のスコアを前記所定範囲の範囲外にする行動を認識するように構成されていることを特徴とする情報出力システム。
【請求項８】
請求項６又は７記載の情報出力システムにおいて、
前記ユーザの第２要素に関する目標を認識する目標認識部を備え、
前記行動認識部は、前記ユーザの第２要素の将来のスコアが、目標から遠ざかると予測された場合、前記第２要素の将来のスコアを前記目標に近づける行動を認識し、
前記出力制御部は、前記行動の実施を推奨する情報を前記出力部に出力するように構成されていることを特徴とする情報出力システム。
【請求項９】
請求項１〜８のうちいずれか１項記載の情報出力システムにおいて、
前記関係認識部は、前記情報に基づいて、一の要素のスコアの時系列遷移と他の要素のスコアの時系列遷移を所定期間ずらした時系列遷移との関係を認識するように構成されていることを特徴とする情報出力システム。
【請求項１０】
請求項１〜９のうちいずれか１項記載の情報出力システムにおいて、
前記ユーザ情報認識部は、前記ユーザの肌細胞画像データ、肌画像データ及び舌画像データのうち少なくとも１つを認識し、
前記スコア情報認識部は、前記ユーザの肌細胞画像データ、肌画像データ及び舌画像データに基づいて、前記ユーザの複数の要素のスコアの時系列遷移を示す情報を認識するように構成されていることを特徴とする情報出力システム。
【請求項１１】
請求項１〜１０のうちいずれか１項記載の情報出力システムにおいて、
前記ユーザの操作を受け付ける入力部を備え、
前記ユーザ情報認識部は、前記入力部に入力された情報を前記ユーザの情報として認識し、
前記スコア情報認識部は、前記入力部に入力された情報に基づいて、前記ユーザの複数の要素のスコアの時系列遷移を示す情報を認識するように構成されていることを特徴とする情報出力システム。
【請求項１２】
ユーザの固有のユーザ情報を認識するユーザ情報認識部と、
情報を出力する出力部と、
前記ユーザ情報に基づいて、前記ユーザの複数の要素のスコアの時系列遷移を示す情報を認識するスコア情報認識部と、
前記情報に基づいて、一の要素のスコアの時系列遷移と他の要素のスコアの時系列遷移を所定の期間ずらした時系列遷移との相関を認識する関係認識部と、
前記相関に基づいて、互いに相関を有する要素を示す情報及び当該要素間の相関係数を記憶する相関情報記憶部と、
ユーザの最新の情報である現状ユーザ情報を認識する現状ユーザ情報認識部と、
前記現状ユーザ情報に示されるユーザの肌、体及び心のうちの少なくとも一に関連する要素である第１要素を認識する第１要素認識部と、
前記互いに相関を有する要素を示す情報に基づいて、前記第１要素と相関を有し、かつ、ユーザの肌、体及び心のうちの少なくとも一に関連する要素である第２要素を抽出する第２要素抽出部と、
前記相関係数及び前記現状ユーザ情報に示される前記第１要素のスコアに基づいて、ユーザの第２要素の将来のスコアを予測する予測部とを備え、
前記ユーザの第２要素の将来のスコアが所定範囲に含まれる場合、前記第２要素の将来のスコアを前記所定範囲の範囲外にする行動を認識する行動認識部と、
前記行動の実施または回避を推奨する情報を前記出力部に出力するように構成されている出力制御部とを備えることを特徴とする情報出力システム。
【請求項１３】
情報を出力する出力部を備えるシステムに
ユーザの固有のユーザ情報を認識するステップと、
前記ユーザ情報に基づいて、前記ユーザの複数の要素のスコアの時系列遷移を示す情報を認識するステップと、
前記情報に基づいて、一の要素のスコアの時系列遷移と他の要素のスコアの時系列遷移を所定の期間ずらした時系列遷移との相関を認識するステップと、
前記相関に基づいて、互いに相関を有する要素の一又は複数の組を示す情報を前記出力部に出力するステップとを実行させることを特徴とする情報出力プログラム。
【請求項１４】
情報を出力する出力部を備えるシステムが実行する方法であって、
ユーザの固有のユーザ情報を認識するステップと、
前記ユーザ情報に基づいて、前記ユーザの複数の要素のスコアの時系列遷移を示す情報を認識するステップと、
前記情報に基づいて、一の要素のスコアの時系列遷移と他の要素のスコアの時系列遷移を所定の期間ずらした時系列遷移との相関を認識するステップと、
前記相関に基づいて、互いに相関を有する要素の一又は複数の組を示す情報を前記出力部に出力するステップとを実行させることを特徴とする情報出力方法。
【発明の詳細な説明】
【技術分野】
【０００１】
本発明は、情報出力システム、情報出力方法および情報出力プログラムに関する。
【背景技術】
【０００２】
従来、カウンセリングを受ける人の健康状態と精神状態と肌トラブルとの因果関係を、カウンセリングを受ける人に理解させるシステムが知られている（例えば、特許文献１参照）。
【０００３】
特許文献１の技術では、次のようにしてカウンセリングを受ける人に上記因果関係を認識させている。
【０００４】
すなわち、カウンセリングシステムの処理部は、カウンセリングに必要となる質問（例えば、「１３．冷え性である」）に対する回答（例えば、「はい」）に基づいて、対応する自覚的要素（例えば、「冷え」）に得点として１点を付与する。
【０００５】
そして、カウンセリングシステムの処理部は、カウンセリングシステムの記憶部に記憶された、自覚的要素および非自覚的要素間の因果関係を示す相関図に基づいて、上記回答に関連する自覚的要素（例えば、「冷え」）と因果律を有する自覚的要素および非自覚的要素（例えば、「血液循環不良」、「皮膚血流、うっ血」、「くま」、「肩こり」）のそれぞれを認識する。
【０００６】
また、カウンセリングシステムの処理部は、カウンセリングシステムの記憶部に記憶された因果律を有する２つの要素間の相関係数（例えば、「冷え」に対する「血液循環不良」の相関係数「０．９」）に基づいて、認識された各要素（例えば、「血液循環不良」）に得点（例えば、１×０．９＝０．９）を与える。
【０００７】
高い評価点の要素が因果関係を示す矢印とともに画像表示部に強調表示されることで、カウンセリングを受ける人に、本人が自覚していない症状又は質問項目に対する回答の結果からみて今後症状となる可能性がある肌トラブルについて注意を喚起することができる。
【先行技術文献】
【特許文献】
【０００８】
【特許文献１】特開２００９−０５９１２６号公報
【発明の概要】
【発明が解決しようとする課題】
【０００９】
しかしながら、特許文献１の技術では、予め医学的に検証された因果関係または経験則に基づいて予め定められた因果関係、換言すれば一般的な因果関係に基づいて、回答に対応する要素と関連する要素を見出すにとどまっている。
【００１０】
このため、特許文献１の技術では、カウンセリングを受ける人それぞれの体質等に鑑みた要素間の因果関係をカウンセリングを受ける人に知らせることはできなかった。
【００１１】
また、特許文献１の技術では、すでに医学的な研究がなされているような要素間の因果関係を用いているので、例えば、電子タバコ等の先端技術を用いた装置を使うことによる肌への影響など、着目されていない要素間の因果関係をカウンセリングを受ける人に知らせることはできなかった。
【００１２】
また、特許文献１の技術では、各要素間の因果関係を画像表示部に表示するにとどまっている。このため、特許文献１の技術では、カウンセリングを受ける人に改善のためには何が有効な施策なのかという情報を提供することはできなかった。
【００１３】
そこで、このような問題に鑑み、本発明は、ユーザ個別の事情に鑑みた要素間の関係又は今まで着目されていなかった要素間の関係をユーザに認識させることができる情報出力システム、情報出力方法および情報出力プログラムを提供することを第１の目的とする。
【００１４】
また、本発明は、ユーザに対し、当該ユーザに有効な行動を認識させることができる情報出力システム、情報出力方法および情報出力プログラムを提供することを第２の目的とする。
【課題を解決するための手段】
【００１５】
本発明の第１態様の情報出力システムは、
ユーザの固有のユーザ情報を認識するユーザ情報認識部と、
情報を出力する出力部と、
前記ユーザ情報に基づいて、前記ユーザの複数の要素のスコアの時系列遷移を示す情報を認識するスコア情報認識部と、
前記情報に基づいて、一の要素のスコアの時系列遷移と他の要素のスコアの時系列遷移との関係を認識する関係認識部と、
前記関係に基づいて、互いに関係を有する要素の一又は複数の組を示す情報を前記出力部に出力する出力制御部とを備えることを特徴とする。
【００１６】
本発明の情報出力システムによれば、スコア情報認識部により、ユーザの固有のユーザ情報に基づいて、前記ユーザの複数の要素のスコアの時系列遷移を示す情報が認識される。
【００１７】
そして、関係認識部により、前記情報に基づいて、一の要素のスコアの時系列遷移と他の要素のスコアの時系列遷移との関係が認識される。
【００１８】
そして、出力制御部により、前記関係に基づいて、要素の一又は複数の組を示す情報が前記出力部に出力される。
【００１９】
これにより、関係が存在する可能性のある要素の組をユーザに認識させることができる。
【００２０】
また、上記関係は、ユーザの固有の複数の要素のそれぞれのスコアの時系列遷移から求められた関係である。したがって、このような相関は、先行の研究等がなくとも認識されうる。
【００２１】
したがって、仮に、ある２つの要素が今まで注目されていなかったとしても、当該構成の情報出力システムによれば、これらの要素間の関連性をユーザに認識させることができる。
【００２２】
本発明の第１態様の情報出力システムにおいて、
前記ユーザ情報認識部は、ユーザの属性である対象の属性を含むユーザ情報を認識するように構成され、
前記関係認識部は、複数のユーザの情報に基づいて、当該複数のユーザに共通のそれぞれの属性ごとに、各要素間の関係を認識するように構成され、
前記出力制御部は、前記対象の属性に対し、前記対象の属性に対応する関係に基づいて、前記対象の属性に対応し、かつ、互いに関係を有する要素の一又は複数の組を示す情報を前記出力部に出力するように構成されていることが好ましい。
【００２３】
当該構成の情報出力システムによれば、相関情報記憶部により、複数のユーザの情報に基づいて、当該複数のユーザに共通のそれぞれの属性ごとに、各要素間の関係が認識される。
【００２４】
そして、出力制御部により、前記対象の属性に対し、前記対象の属性に対応する関係に基づいて、対象の属性に対応し、かつ、互いに関係を有する各要素を示す情報が前記出力部に出力される。
【００２５】
これにより、一のユーザの情報が十分には収集されていない段階でも、当該ユーザと同一の属性の他のユーザの情報が複数収集されていれば、複数の情報に基づいて属性ごとに要素間の関係が認識されるので、対象の属性（ユーザの属性）に対応し、かつ、互いに関係を有する各要素について、ユーザに知らしめることができる。
【００２６】
本発明の第１態様の情報出力システムにおいて、
互いに相関を有する要素を示す情報及び当該要素間の相関係数を記憶する相関情報記憶部と、
ユーザの最新の情報である現状ユーザ情報を認識する現状ユーザ情報認識部と、
前記現状ユーザ情報に示されるユーザの第１要素を認識する第１要素認識部と、
前記互いに相関を有する要素を示す情報に基づいて、前記第１要素と相関のある前記ユーザの第２要素を抽出する第２要素抽出部と、
前記要素間の前記相関係数及び前記現状ユーザ情報に示される前記第１要素のスコアに基づいて、ユーザの第２要素の将来のスコアを予測する予測部とを備え、
前記出力制御部は、前記ユーザの第２要素の将来のスコアに応じた情報を前記出力部に出力するように構成されていることが好ましい。
【００２７】
当該構成の情報出力システムによれば、第１要素認識部により、前記現状ユーザ情報に示されるユーザの第１要素が認識される。
【００２８】
そして、第２要素抽出部により、互いに相関を有する要素を示す情報に基づいて、前記第１要素と相関のある前記ユーザの第２要素が抽出される。
【００２９】
そして、予測部により、前記互いに相関を有する要素を示す情報及び前記現状ユーザ情報に示される前記第１要素のスコアに基づいて、ユーザの第２要素の将来のスコアが予測される。
【００３０】
そして、出力制御部により、ユーザの第２要素の将来のスコアに応じた情報が出力部に出力される。
【００３１】
これにより、ユーザの情報に基づいて認識された相関とユーザの現状を示す現状ユーザ情報とに基づいて、ユーザにユーザの現状から予測されるユーザの将来の状態を認識させることができるので、ユーザにより有用な情報が与えられる。
【００３２】
当該構成の情報出力システムにおいて、
前記第１要素は、肌、体および心のうちの一に関する要素であり、前記第２要素は、肌、体および心のうちの他に関する要素であることが好ましい。
【００３３】
当該構成の情報出力システムによれば、ユーザが関心を持ちやすい肌、体及び心のうち２つに関する要素間の因果関係を、ユーザに知らしめることができる。
【００３４】
当該構成の情報出力システムにおいて、
前記第１要素はユーザの行動であり、前記第２要素は肌、体および心のうちの一に関する要素であることが好ましい。
【００３５】
当該構成の情報出力システムによれば、ユーザが直接コントロールできるユーザの行動と、ユーザが関心を持ちやすい肌、体及び心のうち一に関する要素との関連をユーザに知らしめることができる。この結果、ユーザに、ユーザが関心を持ちやすい肌、体及び心のうち一に関する要素の状態を間接的にコントロールするヒントを与えることができる。
【００３６】
本発明の第１態様の情報出力システムにおいて、
前記相関に基づいて認識される互いに相関を有する要素を示す情報及び当該要素間の相関係数を記憶する相関情報記憶部と、
ユーザの最新の情報である現状ユーザ情報を認識する現状ユーザ情報認識部と、
前記現状ユーザ情報に示されるユーザの肌、体及び心のうちの少なくとも一に関連する要素である第１要素を認識する第１要素認識部と、
前記互いに相関を有する要素を示す情報に基づいて、前記第１要素と相関を有し、かつ、ユーザの肌、体及び心のうちの少なくとも一に関連する要素である第２要素を抽出する第２要素抽出部と、
前記相関係数及び前記現状ユーザ情報に示される前記第１要素のスコアに基づいて、ユーザの第２要素の将来のスコアを予測する予測部とを備え、
前記ユーザの第２要素の将来のスコアが所定範囲に含まれる場合、前記第２要素の将来のスコアを前記所定範囲の範囲外にする行動を認識する行動認識部とを備え、
前記出力制御部は、前記行動の実施または回避を推奨する情報を前記出力部に出力するように構成されていることが好ましい。
【００３７】
当該構成の情報出力システムによれば、現状ユーザ情報認識部により、ユーザの最新の情報である現状ユーザ情報が認識される。
【００３８】
そして、第１要素認識部により、前記現状ユーザ情報に示されるユーザの肌、体及び心のうちの少なくとも一に関連する要素である第１要素が認識される。
【００３９】
そして、第２要素抽出部により、前記互いに相関を有する要素を示す情報に基づいて、前記第１要素と相関を有し、かつ、ユーザの肌、体及び心のうちの少なくとも一に関連する要素である第２要素が抽出される。
【００４０】
予測部により、前記相関係数及び前記現状ユーザ情報に示される前記第１要素のスコアに基づいて、ユーザの第２要素の将来のスコアが予測される。
【００４１】
行動認識部により、前記ユーザの第２要素の将来のスコアが所定範囲に含まれる場合に
、前記第２要素の将来のスコアを前記所定範囲の範囲外にする行動が認識される。
【００４２】
出力制御部により、前記行動の実施または回避を推奨する情報が前記出力部に出力される。
【００４３】
これにより、相関係数に基づいて、第２要素の将来のスコアが所定範囲に含まれると予測された場合、前記第２要素の将来のスコアを前記所定範囲の範囲外にする行動の実施または回避を推奨する情報が出力部に出力される。これにより、ユーザの第２要素の将来のスコアを所定範囲に維持させ又は所定範囲から逸脱させる観点から有効な行動を、ユーザに提供することができる。
【００４４】
当該構成の情報出力システムにおいて、
前記相関情報記憶部は、各要素と相関を有する行動及び各要素と行動との相関係数を示す相関行動情報を記憶するように構成され、
前記行動認識部は、前記ユーザの第２要素の将来のスコアが所定範囲に含まれる場合、前記相関行動情報に基づいて、前記第１要素または前記第２要素と相関を有し、かつ、前記第２要素の将来のスコアを前記所定範囲の範囲外にする行動を認識するように構成されていることが好ましい。
【００４５】
当該構成の情報出力システムによれば、前記行動認識部により、前記ユーザの第２要素の将来のスコアが所定範囲に含まれる場合、前記相関行動情報に基づいて、前記第１要素または前記第２要素と相関を有し、かつ、前記第２要素の将来のスコアを前記所定範囲の範囲外にする行動が認識される。
【００４６】
ここで、相関行動情報は、各要素と相関を有する行動及び各要素と行動との相関係数を示す。
【００４７】
これにより、第１要素又は第２要素と因果関係が存在する可能性のある行動をユーザに認識させることができる。
【００４８】
また、仮に、第１要素又は第２要素と当該行動との関係が今まで注目されていなかったとしても、当該構成の情報出力システムによれば、第１要素又は第２要素と因果関係を有している可能性があり、かつ、前記第２要素の将来のスコアを前記所定範囲の範囲外にする当該行動をユーザに認識させることができる。
【００４９】
これらの情報出力システムにおいて、
前記ユーザの第２要素に関する目標を認識する目標認識部を備え、
前記行動認識部は、前記ユーザの第２要素の将来のスコアが、目標から遠ざかると予測された場合、前記第２要素の将来のスコアを前記目標に近づける行動を認識し、
前記出力制御部は、前記行動の実施を推奨する情報を前記出力部に出力するように構成されていることが好ましい。
【００５０】
当該構成の情報出力システムによれば、前記ユーザの第２要素の将来のスコアが目標から遠ざかると予測された場合、行動認識部により、前記第２要素の将来のスコアを前記目標に近づける行動が認識される。
【００５１】
そして、出力制御部により、当該行動の実施を推奨する情報が出力部に出力される。
【００５２】
これにより、第２要素の将来のスコアが目標からかい離するおそれがある場合にユーザにその状態を回避するための行動の実施を推薦することができる。
【００５３】
本発明の第２態様の情報出力システムは、
ユーザの固有のユーザ情報を認識するユーザ情報認識部と、
情報を出力する出力部と、
前記ユーザ情報に基づいて、前記ユーザの複数の要素のスコアの時系列遷移を示す情報を認識するスコア情報認識部と、
前記情報に基づいて、一の要素のスコアの時系列遷移と他の要素のスコアの時系列遷移を所定の期間ずらした時系列遷移との相関を認識する関係認識部と、
前記相関に基づいて、互いに相関を有する要素を示す情報及び当該要素間の相関係数を記憶する相関情報記憶部と、
ユーザの最新の情報である現状ユーザ情報を認識する現状ユーザ情報認識部と、
前記現状ユーザ情報に示されるユーザの肌、体及び心のうちの少なくとも一に関連する要素である第１要素を認識する第１要素認識部と、
前記互いに相関を有する要素を示す情報に基づいて、前記第１要素と相関を有し、かつ、ユーザの肌、体及び心のうちの少なくとも一に関連する要素である第２要素を抽出する第２要素抽出部と、
前記相関係数及び前記現状ユーザ情報に示される前記第１要素のスコアに基づいて、ユーザの第２要素の将来のスコアを予測する予測部とを備え、
前記ユーザの第２要素の将来のスコアが所定範囲に含まれる場合、前記第２要素の将来のスコアを前記所定範囲の範囲外にする行動を認識する行動認識部と、
前記行動の実施または回避を推奨する情報を前記出力部に出力するように構成されている出力制御部とを備えることが好ましい。
【００５４】
当該構成の情報出力システムによれば、現状ユーザ情報認識部により、ユーザの最新の情報である現状ユーザ情報が認識される。
【００５５】
そして、第１要素認識部により、前記現状ユーザ情報に示されるユーザの肌、体及び心のうちの少なくとも一に関連する要素である第１要素が認識される。
【００５６】
そして、第２要素抽出部により、前記互いに相関を有する要素を示す情報に基づいて、前記第１要素と相関を有し、かつ、ユーザの肌、体及び心のうちの少なくとも一に関連する要素である第２要素が抽出される。
【００５７】
予測部により、前記相関係数及び前記現状ユーザ情報に示される前記第１要素のスコアに基づいて、ユーザの第２要素の将来のスコアが予測される。
【００５８】
行動認識部により、前記ユーザの第２要素の将来のスコアが所定範囲に含まれる場合に、前記第２要素の将来のスコアを前記所定範囲の範囲外にする行動が認識される。
【００５９】
出力制御部により、前記行動の実施または回避を推奨する情報が前記出力部に出力される。
【００６０】
これにより、相関係数に基づいて、第２要素の将来のスコアが所定範囲に含まれると予測された場合、前記第２要素の将来のスコアを前記所定範囲の範囲外にする行動の実施または回避を推奨する情報が出力部に出力される。これにより、ユーザの第２要素の将来のスコアを所定範囲に維持させ又は所定範囲から逸脱させる観点から有効な行動を、ユーザに提供することができる。
【００６１】
本発明の情報出力システムにおいて、
前記関係認識部は、前記情報に基づいて、一の要素のスコアの時系列遷移と他の要素のスコアの時系列遷移を所定期間ずらした時系列遷移との関係を認識するように構成されていることが好ましい。
【００６２】
当該構成の情報出力システムによれば、関係認識部により、前記情報に基づいて、一の要素のスコアの時系列遷移と他の要素のスコアの時系列遷移を所定の期間にずらした時系列遷移との相関が認識される。
【００６３】
一の要素のスコアの時系列遷移と他の要素のスコアの時系列遷移を所定の期間ずらした時系列遷移との間に相関があれば、換言すれば、一方の要素の変化が、変化のあった時点よりも後の他方の要素の変化と相関がある場合、当該一方の要素の変化が当該他方の要素の変化の原因となっていたり、同一の原因により両方の変化が起こっている可能性がある。
【００６４】
そして、出力制御部により、前記相関に基づいて、要素の一又は複数の組を示す情報が前記出力部に出力される。
【００６５】
これにより、特定の関係が存在する可能性のある要素の組をユーザに認識させることができる。
【００６６】
また、上記相関は、ユーザの固有の複数の要素のそれぞれのスコアの時系列遷移から求められた相関である。したがって、このような相関は、先行の研究等がなくとも認識されうる。
【００６７】
したがって、仮に、ある２つの要素が今まで注目されていなかったとしても、当該構成の情報出力システムによれば、これらの要素間の関連性をユーザに認識させることができる。
【００６８】
本発明の情報出力システムにおいて、
前記ユーザ情報認識部は、前記ユーザの肌細胞画像データ、肌画像データ及び舌画像データのうち少なくとも１つを認識し、
前記スコア情報認識部は、前記ユーザの肌細胞画像データ、肌画像データ及び舌画像データに基づいて、前記ユーザの複数の要素のスコアの時系列遷移を示す情報を認識するように構成されていることが好ましい。
【００６９】
本発明者らの検討により、前記肌細胞画像データ、前記肌画像データ、前記舌画像データのうち少なくとも1つに基づいて、前記ユーザの各要素のスコアを比較的高精度に認識できることが判明した。
【００７０】
この点に鑑みて構成された当該構成の情報出力システムによれば、前記肌細胞画像データ、前記肌画像データ、前記舌画像データのうち少なくとも1つに基づいて前記ユーザの各要素のスコアが認識される。これにより、ユーザがアンケートなどの情報を入力したりする手間が省かれながら、高精度に各要素のスコアが認識され、ひいては、これらの要素間の関係性をユーザに認識させることができる。
【００７１】
本発明の情報出力システムにおいて、
前記ユーザの操作を受け付ける入力部を備え、
前記ユーザ情報認識部は、前記入力部に入力された情報を前記ユーザの情報として認識し、
前記スコア情報認識部は、前記入力部に入力された情報に基づいて、前記ユーザの複数の要素のスコアの時系列遷移を示す情報を認識するように構成されていることが好ましい。
【００７２】
当該構成の情報出力システムによれば、前記入力部に入力された情報に基づいて、前記ユーザの複数の要素のスコアが認識されるので、多岐にわたる要素についてのスコアの時系列遷移及びこれらの間の関係をユーザに認識させることができる。
【図面の簡単な説明】
【００７３】
【図１】肌サポートサーバの利用形態の説明図。
【図２】肌サポートサーバ及びユーザ端末の構成図。
【図３】肌サポートサーバによる一連の肌サポート処理の説明図。
【図４】肌サポートサーバにおける処理の第１のフローチャート。
【図５】肌サポートサーバにおける処理の第２のフローチャート。
【図６】ユーザ端末における処理の第１のフローチャート。
【図７】ユーザ端末における処理の第２のフローチャート。
【図８】主観データ及び客観データによる肌、心、体の初期データの解析処理の説明図。
【図９】体状態の数値化の説明図。
【図１０】心状態の数値化の説明図。
【図１１】図１１Ａは各施策とその施策の改善傾向等との関係を示す図で、図１１Ｂは各工程のスケジュールを示す図で、図１１Ｃはなりたい肌と肌状態の主観状態、客観状態との関係を示す図。
【図１２】画像表示を実施している期間における日々のモニタリングに基づく進捗表の説明図。
【図１３】特殊事例による肌状態への影響の説明図。
【図１４】ユーザ端末における肌状態の改善度の表示画面の説明図。
【図１５】施策の評価方法の説明図であり、図１５Ａは施策の評価基準を示し、図１５Ｂは施策の評価例を示している。
【図１６】暮らし及び特殊事例の評価方法の説明図であり、図１６Ａは暮らし及び特殊事例の評価基準を示し、図１６Ｂは暮らし及び特殊事例の評価例を示している。
【図１７】ゴール達成度の判定方法の説明図。
【図１８】２次データの説明図。
【図１９】図１９Ａは、入力受付処理のフローチャート、図１９Ｂは、スコア記憶処理のフローチャート、図１９Ｃは、相関行動情報記憶処理のフローチャート、図１９Ｄは、情報出力処理のフローチャート。
【図２０】情報入力画面の構成の一例を示す図。
【図２１】入力情報のスコア化の一例を説明する図。
【図２２】肌のスコアのグラフと、行動のスコアのグラフを示す図。
【図２３】肌のスコアと行動のスコアとの相関の求め方を説明する図。
【図２４】図２４Ａは、肌、心、体の各要素と行動と相関係数とを記憶するテーブル、図２４Ｂは、肌の要素と、体の要素との相関係数とを記憶するテーブル。
【図２５】施策認識処理のフローチャート。
【図２６】肌のスコアのグラフと、体のスコアのグラフを示す図。
【図２７】施策推奨画面の一例を示す図。
【発明を実施するための形態】
【００７４】
本発明の実施形態の一例について、図１〜図２７を参照して説明する。
【００７５】
［Ａ．肌サポートサーバの利用形態］
図１を参照して、肌サポートサーバ１０の構成および本発明を構成する系に対する位置付けを説明する。肌サポートサーバ１０は、ＣＰＵ、メモリ、各種インターフェース回路等を備えたコンピュータシステムにより構成される。肌サポートサーバ１０は、メモリに保持された画像表示用のプログラムをＣＰＵで実行することによって、複数のユーザＵ（図１ではＵａ，Ｕｂ，Ｕｃを例示）の肌状態を改善又は維持するための処理（画像表示処理）を実行する機能を実現する。
【００７６】
肌サポートサーバ１０は、インターネット等の通信ネットワーク１を介して、複数のユーザＵの通信端末（ユーザ端末）３０（図１では３０ａ，３０ｂ，３０ｃを例示）との間でデータ通信を行うことにより、ユーザＵの肌状態の改善又は維持をサポートする。肌サポートサーバ１０と、ユーザ端末３０とにより構成されるシステムが、本発明の「情報出力システム」の一例に相当する。
【００７７】
通信ネットワーク１には、担当者Ｔ（図１ではＴａ，Ｔｂを例示）の通信端末５０（図１では５０ａ，５０ｂを例示）も接続されている。担当者Ｔは、通信端末５０を介して、ユーザＵの肌の特徴や趣味嗜好、生活スタイル等を考慮した適切な肌ケア法等の情報を含むデータを、肌サポートサーバ１０及びユーザ端末３０に送信することにより、ユーザＵの肌状態の改善に対するアドバイスを行う。なお、担当者Ｔの通信端末５０とユーザＵのユーザ端末３０とは必ずしも一対一である必要はなく、肌サポートサーバ１０、担当者Ｔの通信端末５０、通信ネットワーク１を合わせた系全体によってユーザＵの肌状態の改善に対するアドバイスがユーザＵのユーザ端末３０に提供されればよい。例えば、ユーザＵの１又は複数のユーザ端末３０に対して、複数の担当者Ｔによってそれぞれの通信端末５０を介してアドバイスを提供する方法でも良い。
【００７８】
さらに、肌サポートサーバ１０は、複数のユーザＵのユーザ端末３０から送信される各ユーザの固有データを解析して、汎用的に活用可能な２次データを生成する機能を有し、この２次データを通信ネットワーク１を介して他のシステム６０に提供するサービスも行うことができる。
【００７９】
［Ｂ．肌サポートサーバ、及びユーザ端末の構成］
図２を参照して、肌サポートサーバ１０およびユーザ端末３０の構成について説明する。肌サポートサーバ１０は、メモリに保持された情報出力プログラムをＣＰＵで実行することにより、肌状態認識部１１、施策グループ選択部１２、施策情報送信部１３、２次データ生成部１９、スコア情報認識部２１、関係認識部２２、現状ユーザ情報認識部２３、第１要素認識部２４、第２要素抽出部２５、予測部２６、目標認識部２７及び行動認識部２８として機能する。これらの構成による処理については後述する。また、肌サポートサーバ１０は、ユーザＵの画像表示処理に使用する各種データを保持するサポートＤＢ（データベース）２０を備えている。このサポートＤＢ２０はたとえばＲＡＭ上に展開され、後述する主観および客観データの更新によって書き換え可能である。サポートＤＢ２０は、本発明の「相関情報記憶部」の一例に相当する。
【００８０】
次に、本実施形態のユーザ端末３０は、表示器３１、タッチパネル３２、カメラ３３、マイク３４、ＣＰＵ３５、及びメモリ３６等を備えている。表示器３１が、本発明の「出力部」に相当する。タッチパネル３２が、本発明の「入力部」に相当する。これに代えてまたは加えて、カメラ３３で撮像したユーザＵの画像又はマイク３４から入力されたユーザＵの音声に基づいてユーザの指定を認識することにより、カメラ３３又はマイク３４を本発明の「入力部」として機能させてもよい。
【００８１】
なお、一の装置が情報を「認識する」とは、一の装置が他の装置から当該情報を受信すること、一の装置が当該一の装置に接続された記憶媒体に記憶された情報を読み取ること、一の装置が当該一の装置に接続されたセンサから出力された信号に基づいて情報を取得すること、一の装置が、受信した情報又は記憶媒体に記憶された情報又はセンサから取得した情報に基づいて、所定の演算処理（計算処理又は検索処理など）を実行することにより当該情報を導出すること、一の装置が他の装置による演算処理結果としての当該情報を当該他の装置から受信すること、一の装置が当該受信信号にしたがって内部記憶装置又は外部記憶装置から当該情報を読み取ること等、当該情報を取得するためのあらゆる演算処理が実行されることを意味する。
【００８２】
本実施形態においては、ユーザ端末３０は例えばスマートフォンであるため、カメラ３３やマイク３４等を備えているが、ユーザ端末と有線無線にかかわらずやり取りできる構成であれば、外付けでの構成であったり、専門的な撮像装置を用いても良い。ＣＰＵ３５は、メモリ３６に保持された画像表示用のアプリケーション３５ａ（以下、肌サポートアプリ３５ａという）のプログラムを実行することにより、ユーザＵが肌サポートアプリ３５ａを介して肌サポートサーバ１０によるサポートを享受可能な状態とする。アプリケーション３５ａを実行したＣＰＵ３５が本発明の「ユーザ情報認識部」及び「出力制御部」として機能する。
【００８３】
また、ユーザＵは、肌の細胞を取得するための角質採取テープ３７（図１では３７ａ、３７ｂ、３７ｃを例示）を別途有している。この角質採取テープ３７は、予め担当者ＴによりユーザＵに提供されたものであってもよいし、ユーザＵが市販の角質採取テープ３７を購入してもよい。
【００８４】
なお、以下の説明では、説明の便宜のため、肌状態の改善又は維持のサポート処理の対象のユーザをユーザＵａと表し、「ユーザＵａ」と異なるユーザを「他のユーザＵｂ、Ｕｃ」と表す。
【００８５】
［Ｃ．肌サポートサーバによる一連の処理］
次に、図３を参照して、肌サポートサーバによる一連の処理について説明する。肌サポートサーバ１０は、「１．ゴール設定」、「２．スケジュール決定」、「３．モニタリング」、「４．スケジュール修正」、［５．ゴール判定］及び「６．２次データ生成」の各工程の処理を、図４，５に示したフローチャートに従って実行する。また、ユーザ端末３０は、各工程における肌サポートサーバ１０による処理に応じて、図６，７に示したフローチャートによる処理を実行する。以下では、各工程における肌サポートサーバ１０及びユーザ端末３０のＣＰＵ３５の処理について、図４〜７に示したフローチャート
を参照しつつ説明する。
【００８６】
ユーザＵａは、図６のＳＴＥＰ５０で、肌サポートアプリ３５ａのプログラムをユーザ端末３０にダウンロードして肌サポートアプリ３５ａを起動する。そして、ユーザＵａは肌サポートアプリ３５ａへの登録申請を行う。
【００８７】
肌サポートサーバ１０は、図４のＳＴＥＰ１０で、ユーザＵａからの登録申請を受け付けたときに、「ユーザＵａからの登録申請を受け付けた」と認識し、ＳＴＥＰ１１に処理を進める。そしてＳＴＥＰ１１以降の画像表示処理を開始する。
【００８８】
［Ｄ．ゴール設定工程］
図３に示した「１．ゴール設定」の工程は、肌状態認識部１１及び施策グループ選択部１２により実行される。施策グループ選択部１２は、図４のＳＴＥＰ１１でユーザ端末３０にユーザＵａの現状の肌、体、心の各状態、及びユーザＵａが要望する肌状態を把握するための情報入力を促す初期情報要求データを送信する。
【００８９】
この初期情報要求データを受信したユーザ端末３０では、肌サポートアプリ３５ａが、図６のＳＴＥＰ５１で、ユーザＵａに対して、現状の肌、体、心の各状態、及びユーザＵａが要望する肌状態の入力を促す画面を表示器３１に表示する。それに対してユーザ端末３０は、ユーザＵａが入力した情報を含む初期ユーザ情報データを、肌サポートサーバ１０に送信する。これらに加えてまたは変えて、肌サポートアプリ３５ａは、図６のＳＴＥＰ１００で、入力情報受付処理を実行する。入力情報受付処理の詳細については後述する。
【００９０】
肌状態認識部１１は、図４のＳＴＥＰ１１において、初期ユーザ情報データを受信して、初期ユーザ情報データから認識したユーザＵａの肌、心、体の各状態と、ユーザＵａが要望する肌状態とに基づいて、肌状態、心状態、又は体状態の目標スコア（ゴール）を設定する。
【００９１】
ここで、初期ユーザ情報データには、肌状態、体状態、及び心状態についての主観データ及び客観データが含まれている。詳細な定義は後述するが、主観データはユーザの主観によって判定される項目、客観データは検査結果や画像解析、事実情報に基づいたデータである。肌状態の主観データは、現状の肌状態に対するユーザＵａの満足度を、例えば１０段階で示したデータである。肌状態の客観データは、ユーザＵａの肌画像データである。なお、肌状態の客観データには、初期ユーザ情報データに含まれる肌状態の客観データに加え、角質採取テープ３７により採取されたユーザＵａの角層細胞の解析データが含まれても良い。角層細胞の解析データは、具体的には例えば保水能力と皮脂適格性に関するデータである。この場合、角層細胞の解析を、例えばユーザ端末３０に接続された測定機器４５により行うことで、或は、角質採取テープ３７の画像データをユーザ端末３０から肌サポートサーバ１０に送信し、肌サポートサーバ１０側で角質採取テープ３７の画像を分析して保水能力と皮脂適格性などを測定してもよい。
【００９２】
ユーザＵａの満足度は肌サポートアプリ３５ａにおけるアンケート入力によって取得される。また、肌画像データは、ユーザ端末３０のカメラ３３又は接続端子４０に接続された外部カメラによってユーザＵａがユーザＵａの顔を撮像することによって取得した画像データである。
【００９３】
また、肌サポートアプリ３５ａは、ユーザＵａに対して、角質採取テープ３７の使用方法を表示器３１に表示し、角質採取テープ３７の使用と別途の郵送とを促す。肌サポートアプリ３５ａは、ユーザＵａに対して、角質採取テープ３７の使用と肌画像の撮像を促し、撮像された画像が肌サポートサーバ１０に送信されるようにしてもよい。
【００９４】
肌状態認識部１１は、図８に示したように、肌状態の初期値を、主観のスコアをたとえば３、肌画像のスコアを３、保水能力のスコアを２、皮脂適格性のスコアを１に割り当てて、合計した値を肌状態のスコアとする。なお、スコアは正の整数ではなく、小数で表現されていてもよいし、負の数で表されてもよい。
【００９５】
角層細胞の状態を解析したスコア（保水能力スコア及び皮脂適格性のスコア、角層バリア、メラニンスコアなど）の認識を第１認識方法と呼ぶ。第１認識方法は、これに代えてまたは加えて、角層水分量計によりユーザの肌の水分量を計測する方法及び皮脂量計によりユーザの肌の皮脂量を計測する方法のうち少なくとも１つを含む。また、第１の認識方法によるユーザの肌の認識を定期的に行うため、肌状態認識部１１は、定期的にユーザ端末３０に角質採取テープ３７等の使用を促すメッセージを送信したりすることにより、ユーザに行動を促す。このときの「定期的」というのは厳密に時間的に等間隔である必要はなく、肌状態に影響が出ない範囲で等間隔であれば良い。例えば、３ヶ月ごとに第１の認識方法を実施する場合において、１月１日に初回を実施した場合、ちょうど３か月後の４月１日のみならず、例えばその１週間前の３月２４日前後にユーザ端末３０にメッセージを送信してもよいし、例えばその１週間後の４月８日前後にユーザ端末３０にメッセージを送信してもよい。また、長期的にサービスを提供するときなどは、例えば細かい改善を調べたい時は１ヶ月ごとに第１の認識方法を設定し、肌状態に対する季節変化の影響を調べるために３か月ごとに第１の認識方法を設定するなど、認識のタイミングは変更可能である。
【００９６】
アンケート入力による肌状態の主観データに基づいて主観スコアの認識及びユーザＵａの肌画像データに基づく肌画像スコアの認識のそれぞれを第２認識方法と呼ぶ。第２認識方法は、アンケート入力による肌状態の主観データに基づいて主観スコアの認識及びユー
ザＵａの肌画像データに基づく肌画像スコアの認識の一方によってユーザＵａの肌状態を認識してもよいし、これらと異なる方法を含んでもよい。また、第２認識方法は、第１の認識方法よりも頻繁に行われる。これは角質採取テープ３７の使用・郵送が手間的にも煩雑かつ値段的にも高価になってしまうためである。また、角質採取テープ３７の使用が頻繁であると、ユーザＵａの肌へ悪影響が及ぶおそれもある。
【００９７】
例えば３か月間ごとに第１の認識方法が実施され、第２の認識方法は毎日実施にされる。また、第１の認識方法の実施と第２の認識方法の実施のタイミングが重なる時は、できれば同じタイミングで実施されると精度の良いデータが取れるために好ましい。ただし第１の認識方法の実施時に第２の認識方法が実施されなくても本発明の実施は可能であるし、効果も得られる。
【００９８】
なお、主観スコアは、主観データに基づいて認識されたスコアであればよい。
【００９９】
体状態の主観データと客観データは、図９に示したように分けられている。詳細な定義は後述するが、肌の主観データおよび客観データと同様に、主観データはユーザＵａの主観によって判定される項目、客観データは検査結果や画像解析、事実情報に基づいたデータである。体状態の主観データは、ユーザＵａが肌サポートアプリ３５ａを通じてアンケートを入力することによって取得される。客観データは、ユーザＵａがユーザ端末３０のカメラ３３を用いて撮像されたユーザＵａの舌・唇の画像データ、ユーザ端末３０の接続端子４０に接続された測定機器４５により測定されたユーザＵａの血圧、不整脈、尿中成分、血中成分等の測定データと、肌サポートアプリ３５ａにおけるアンケート入力により取得された頭痛又は肩こり等の体調不良の回数、疲労度判定等のデータである。なお、将来の肌ケア以外のサービスへの展開に備えて、種々の病気の発生情報などについても初
期ユーザ情報データに含めてもよい。
【０１００】
心状態の主観データと客観データは、図１０に示したように分けられている。、詳細な定義は後述するが、肌の主観データおよび客観データと同様に、主観データはユーザＵａの主観によって判定される項目、客観データは検査結果や画像解析、事実情報に基づいたデータである。主観データは、肌サポートアプリ３５ａにおけるアンケート入力によって取得される。客観データは、肌サポートアプリ３５ａにおけるアンケート入力（一日の笑った頻度等）と、測定機器による測定（脈拍モニタリングからの心理状態推定等）とにより取得される。なお、将来の肌ケア以外のサービスの展開に備えて、種々の精神疾患の発生情報についても初期ユーザ情報データに含めてもよい。
【０１０１】
肌状態認識部１１は、認識したユーザＵａの肌、体、心の状態の主観データ及び客観データを、サポートＤＢ２０に記憶する。
【０１０２】
肌状態認識部１１は、このようにして初期ユーザ情報データから認識したユーザＵａの肌状態、体状態、及び心状態の主観データと客観データに基づいて、図８の右側の三角形で示したように、肌状態を１〜９、体状態を１〜６、心状態を１〜６の各スコアで表した３軸の初期値を設定する。なお、肌状態のスコアと同様に、体状態又は心状態の主観データ及び客観データから体状態又は心状態の主観スコア及び客観スコアが算出され、それらに基づいて体状態のスコア及び心状態のスコアとして扱われてもよい。
【０１０３】
さらに、施策グループ選択部１２は、初期ユーザ情報データに含まれる「なりたい肌スコア」「施策のカテゴリ、希望、頻度」「アレルギー情報」及び「現在行っている施策」を取得する。「なりたい肌スコア」「施策のカテゴリ，希望，頻度」「アレルギー情報」及び「現在行っている施策」は、肌サポートアプリ３５ａにより、ユーザＵａが入力したものである。
【０１０４】
ここで、「なりたい肌スコア」において、「なりたい肌」とは、乾燥感改善、ごわつき改善、敏感肌改善、ニキビ改善、しぼみ感改善、シミ改善、シワ改善、たるみ改善、くすみ改善、くま改善、顔色改善、及びハリ改善の中から選択された肌状態の改善対象である。また、「スコア」とは、各対象の肌状態に対するユーザＵａの満足度であって、肌サポートアプリにおいて１〜１０の１０段階でユーザが選択したスコアである。
【０１０５】
サポートＤＢ２０は、各改善対象に関連付けられた肌状態の主観状態の改善傾向及び客観状態の改善傾向を記憶している。例えば、図１１Ｃに示されるように、「乾燥感改善」には、肌状態の主観状態「乾燥感改善」と、肌状態の客観状態の基準「保水能力と皮脂適格性との差を最小化」とが関連付けられている。
【０１０６】
例えば、「なりたい肌」が「乾燥感改善」であり、現状の肌状態の乾燥感の満足度のスコアが３であるときに、ユーザＵａの選択に応じて、「乾燥感改善」と関連付けられたユーザＵａの肌状態の主観状態「乾燥感改善」についての満足度５が主観的な目標スコアとして設定される。
【０１０７】
また、施策グループ選択部１２は、「乾燥感改善」に関連付けられた肌状態の客観的な改善対象を設定する。例えば、施策グループ選択部１２は、「乾燥感改善」に関連付けられた基準「保水能力と皮脂適格性との差を最小化」に基づいて、ユーザＵａの肌状態のうち、保水能力よりも低い皮脂適格性の値２を客観的な目標スコアとして設定する。
【０１０８】
心状態、体状態についても同様に目標スコアが定められうる。
【０１０９】
また、「施策のカテゴリ、希望、頻度」において、カテゴリとしては「食生活、自宅での行動、運動、化粧品の使い方、飲食、肌ケア、行動」等、希望としては「難易度、金額制約、時間制約、やりたくない施策、肌ケアを行うシーン、施策のカテゴリに関する嗜好」等、頻度としては「１日当たりのアドバイスを受ける回数」等が選択される。
【０１１０】
「アレルギー情報」は、ユーザＵａがアレルギー疾患の場合のアレルギー物質に関する情報が含まれる。
【０１１１】
「現在行っている施策」は、ユーザＵａがすでに行っている施策であり、「湯船につかる」等の内容及び頻度又は程度などにより表される。
【０１１２】
また、初期ユーザ情報データには、ユーザＵａの性別、年齢、住んでいる地域、職業、性格等のユーザの属性を示す情報が含まれている。
【０１１３】
［Ｅ．スケジュール決定工程］
図３に示した「２．スケジュール決定」の工程は、施策グループ選択部１２、施策情報送信部１３により実行される。
【０１１４】
施策グループ選択部１２は、図４のＳＴＥＰ１２で、ゴール（主観的な目標スコア及び客観的な目標スコア）を達成するための施策グループを選択する。この選択は、上述した各改善対象に関連付けられた、肌状態の主観状態の改善傾向と肌状態の客観状態の改善傾向と適した周辺環境とを考慮して行われる。施策グループ選択部１２は、あらかじめ登録された地域またはＧＰＳセンサ等によって検出された位置情報と、端末の時計機能から取得した日時とに基づいて、スケジュール期間におけるユーザＵａの周辺環境の温度、湿度等を予測する。
【０１１５】
例えば、施策グループ選択部１２は、カテゴリの希望が「自宅での行動、食生活、運動」であり、梅雨の時期のように湿度が平均５０％と予測される季節であり、主観的な目標スコアが「乾燥感」の満足度５以上、客観的な目標スコアが皮脂適格性２以上である場合、主観状態の改善傾向が「乾燥感改善」を含み、客観状態の改善傾向が「皮脂適格性向上」を含み、カテゴリに「自宅での行動、食生活、運動」のいずれかであり、適した周辺環境が湿度５０％と矛盾しない施策を選択する。
【０１１６】
ここで、主観状態の改善傾向及び客観状態の改善傾向は、予め担当者Ｔ等の専門家によって定められたものであってもよいし、サポートＤＢ２０に記憶された他のユーザＵｂ、Ｕｃが実施した施策と他のユーザＵｂ、Ｕｃの肌状態の時系列的変化に基づいて推定される主観状態の改善傾向及び客観状態の改善傾向であってもよいし、実施した施策とユーザＵａの肌状態の時系列的変化がサポートＤＢ２０に保存されている場合には、当該情報に基づいて推定される主観状態の改善傾向及び客観状態の改善傾向であってもよい。
【０１１７】
例えば、サポートＤＢ２０には、他のユーザＵｂ、Ｕｃのそれぞれが実施した施策と、その施策を実施した前後の他のユーザＵｂ、Ｕｃそれぞれごとの肌状態の主観データの時系列的変化及び他のユーザＵｂ、Ｕｃそれぞれごとの肌状態の客観データの時系列的変化の一方又は両方とが記憶される。
【０１１８】
また、例えば、サポートＤＢ２０には、他のユーザＵｂ、Ｕｃのそれぞれが実施した施策「湯船につかる」と、その施策を実施した前後における、他のユーザＵｂ、Ｕｃそれぞれの肌状態の主観状態の時系列的変化としての「乾燥感についての満足度」が記憶されているとする。
【０１１９】
このとき、施策グループ選択部１２は、各他のユーザＵｂ、Ｕｃごとに、施策「湯船につかる」について、例えば、湯船につかる前日と、湯船につかった日の肌状態の主観データ（乾燥感についての満足度）の変化量を算出する。そして、施策グループ選択部１２は、各他のユーザＵｂ、Ｕｃごとの乾燥感についての満足度の変化量の平均値をとる。施策グループ選択部１２は、例えば、「乾燥感についての満足度」の変化量の平均値が所定値以上である場合に、施策「湯船につかる」の主観状態の改善傾向を「乾燥感改善」と認識する。客観状態の改善傾向についても、主観状態の改善傾向と同様に認識できる。
【０１２０】
施策グループ選択部１２は、ユーザＵａの年齢及び肌状態に基づいて、同年代、同様の肌状態等、処理対象とする他のユーザＵｂ、Ｕｃの範囲を絞ってもよい。
【０１２１】
また、施策グループ選択部１２は、サポートＤＢに実施した施策とユーザＵａの肌状態の時系列的変化が保存されている場合には、上記と同様にして算出した当該情報に基づいて推定される主観状態の改善傾向及び客観状態の改善傾向を認識してもよい。
【０１２２】
施策グループ選択部１２は、ユーザＵａの第１回目のスケジュール決定工程においては、他のユーザＵｂ、Ｕｃの肌状態の主観データ、客観データから上記主観状態の改善傾向及び客観状態の改善傾向を認識し、ユーザＵａの第２回目のスケジュール決定工程においてはユーザＵａの肌状態の主観データ、客観データから主観状態の改善傾向及び客観状態の改善傾向を認識してもよい。
【０１２３】
施策グループ選択部１２は、肌状態のみならず、心状態、体状態についても同様に主観状態の改善傾向及び客観状態の改善傾向を認識し、当該心状態、体状態の主観状態の改善傾向及び客観状態の改善傾向を加味して施策を選択してもよい。
【０１２４】
施策グループ選択部１２は、「現在行っている施策」と同内容及び同頻度または同程度
の施策を施策グループから除外してもよい。ユーザが既に行っている施策は、提案するまでもないと考えられるからである。
【０１２５】
図１１Ａの例では、施策グループ選択部１２は、「湯船につかる」「ビタミンＣ摂取」「野菜摂取」「１万歩以上歩く」を含むように複数の施策の組合せである施策グループを選択する。
【０１２６】
施策情報送信部１３は、施策グループの中から、ユーザＵａの「施策のカテゴリ、希望、頻度」に応じて施策の優先度を評価し、当該優先度に従って初期の施策を決定する。図１２には、初期の施策として「湯船につかる」「野菜摂取」「１万歩以上歩く」が選択されたスケジュールの例を示している。施策情報送信部１３は、このようにして決定したスケジュールの内容を示すスケジュールデータをユーザ端末３０に送信する。
【０１２７】
施策情報送信部１３は、併せて、ユーザＵａの指定を基に、一定期間の各工程の実施の計画を作成する。図１１Ｂには、ＳＴＡＲＴ時にゴール設定とスケジュール決定を行い、毎日モニタリングをし、１週間ごとにスケジュール修正を行い、１か月後に進捗グラフを作成し、Ｆ３か月目にゴール判定と新たなゴール設定を行うという一連のイベントの計画が示されている。施策情報送信部１３は、ユーザＵａの指定に加えてまたは代えて、あらかじめ定められた、一定期間の各工程の実施の計画を用いてもよい。
【０１２８】
ユーザ端末３０において、図６のＳＴＥＰ５２で、肌サポートサーバ１０からスケジュールデータを受信すると、肌サポートアプリ３５ａは、図１２に示したようなスケジュールの実行表及び図１１Ｂに示したような作業内容の計画を表示可能にして、ユーザＵａによる各施策の実施を促す。図１２のスケジュールの実行表においては、各施策（「湯船につかる」、「野菜摂取」、「１万歩以上歩く」）の内容が表示される。
【０１２９】
また、ユーザ端末３０において、肌サポートサーバ１０から図４のＳＴＥＰ２００の施策認識処理で認識された施策を示す情報を受信すると、肌サポートアプリ３５ａは、図６のＳＴＥＰ１１０において、施策出力処理を実行する。施策出力処理の詳細については後述する。
【０１３０】
［Ｆ．モニタリング工程］
図３に示した「３．モニタリング」の工程は、ユーザＵａが肌サポートアプリ３５ａ上で設定した期間ごとに（図１１Ｂでは毎日）、肌状態認識部１１、施策情報送信部１３、スコア情報認識部２１及び関係認識部２２により実行される。肌サポートアプリ３５ａの利用を開始したユーザＵａは、ユーザ端末３０により、日々の肌、体、心の各状態と、スケジュールにより指示された施策の実施状況と、スケジュールにより指示された施策以外のユーザＵａの自主的な行動（施策外行動）の実施状況とを入力する。施策の実施状況には、「湯船につかる」、「野菜摂取」、「１万歩以上歩く」をそれぞれ実施したかどうかを示す情報のほか、「３０分」および「湯船につかる」、「３００ｇ」および「野菜を摂取」、「１万５千歩」および「歩く」など、時間、量などで表される施策の実行の度合いが含まれる。
【０１３１】
肌サポートアプリ３５ａは、図６のＳＴＥＰ５３で、ユーザＵａにより肌、体、心の状態が入力されると図６のＳＴＥＰ１００及びＳＴＥＰ６０に処理を進める。図６のＳＴＥＰ１００の処理の詳細は後述する。肌サポートアプリ３５ａは、図６のＳＴＥＰ６０において、上述した初期ユーザ情報データと同様に、ユーザＵａの肌、体、心の状態についての主観データと客観データを含む現状ユーザ情報データを肌サポートサーバ１０に送信してＳＴＥＰ５４に処理を進める。なお、肌サポートアプリ３５ａは、図６のＳＴＥＰ５３で、ユーザＵａにより肌、体、心の状態が入力されない場合、そのままＳＴＥＰ５４に処理を進める。ここで送信されるデータには、角質採取テープ３７によって採取された角層細胞に関するデータは含まれない。
【０１３２】
また、肌サポートアプリ３５ａは、図６のＳＴＥＰ５４で、ユーザＵａによりスケジュールの実行状況（各施策の実行状況）が入力されたときにＳＴＥＰ６１に処理を進め、スケジュールの実行状況を示す実行状況データを肌サポートサーバ１０に送信して図７のＳＴＥＰ５５に処理を進める。なお、肌サポートアプリ３５ａは、図６のＳＴＥＰ５４で、ユーザＵａによりスケジュールの実行状況（各施策の実行状況）が入力されない時は、そのままＳＴＥＰ５５に処理を進める。
【０１３３】
さらに、肌サポートアプリ３５ａは、図７のＳＴＥＰ５５で、ユーザＵａにより施策外行動の実施状況が入力されたときにＳＴＥＰ６２に処理を進め、実施された施策外行動の内容を示す施策外行動実施データを肌サポートサーバ１０に送信してＳＴＥＰ５６に処理を進める。なお、肌サポートアプリ３５ａは、図７のＳＴＥＰ５５で、ユーザＵａにより施策外行動の実施状況が入力されないときには、そのままＳＴＥＰ５６に処理を進める。
【０１３４】
肌状態認識部１１は、ＳＴＥＰ１３でユーザ端末３０から現状ユーザ情報データを受信したときに図４のＳＴＥＰ２００及びＳＴＥＰ２０に処理を進める。図４のＳＴＥＰ２００の処理の詳細は後述する。肌状態認識部１１は、現状ユーザ情報データをサポートＤＢ２０に蓄積してＳＴＥＰ１４に処理を進める。なお、肌状態認識部１１は、ＳＴＥＰ１３でユーザ端末３０から現状ユーザ情報データを受信しないときは、ＳＴＥＰ１４にそのまま処理を進める。
【０１３５】
また、施策情報送信部１３は、ＳＴＥＰ１４でユーザ端末３０から実行状況データを受信したときに図４のＳＴＥＰ３００及びＳＴＥＰ２１に処理を進める。図４のＳＴＥＰ３００の処理の詳細は後述する。施策情報送信部１３は、実行状況データをサポートＤＢ２０に蓄積してＳＴＥＰ１５に処理を進める。一方で、ＳＴＥＰ１４でユーザ端末３０から実行状況データを受信していないと判定された場合は、そのままＳＴＥＰ１５に処理を進める。
【０１３６】
さらに、施策情報送信部１３は、ＳＴＥＰ１５でユーザ端末３０から施策外行動実施データを受信したときに図４のＳＴＥＰ３００及びＳＴＥＰ２２に処理を進める。図４のＳＴＥＰ３００の処理の詳細は後述する。施策情報送信部１３は、施策外行動実施データをサポートＤＢ２０に蓄積して図５のＳＴＥＰ１６に処理を進める。一方で、施策情報送信部１３は、ＳＴＥＰ１５でユーザ端末３０から施策外行動実施データを受信しない時は、そのまま図５のＳＴＥＰ１６に処理を進める。
【０１３７】
図５に移って、ＳＴＥＰ１６で、施策情報送信部１３は、サポートＤＢ２０に蓄積されたユーザＵａの初期ユーザ情報データ、現状ユーザ情報データ、実行状況データ、及び施策外行動実施データ等に基づいて、スケジュールの進捗状況を示す進捗表データを作成し、この進捗表データをユーザ端末３０に送信する。
【０１３８】
ここで、スケジュールの進捗表は、例えば図１２に示したように、上から順に、肌状態（ここでは乾燥肌）のスコア、体状態のスコア、心状態のスコア、施策（湯船につかる、野菜摂取、１万歩以上歩く）の実施状況、暮らし情報（野菜摂取量、水分摂取量）、及び暮らし特殊事例が、１日単位で表示する構成となっている。
【０１３９】
また、スケジュール進捗表には、施策の実行度合い（「３０分」湯船につかる、「３００ｇ」野菜摂取、「１万５千歩」歩く）が含まれている。
【０１４０】
ユーザ端末３０において、肌サポートアプリ３５ａは、図７のＳＴＥＰ５６で、肌サポートサーバ１０から送信された進捗表データを受信したときにＳＴＥＰ６３に処理を進め、進捗表データをメモリ３６に保持する。肌サポートアプリ３５ａは、メモリ３６に格納された進捗表データを用いて、図１２に示した進捗表をユーザ端末３０の表示器３１に表示する。
【０１４１】
また、肌サポートアプリ３５ａは、進捗表データの他に、通信を介して認識した、肌サポートサーバ１０のサポートＤＢ２０に蓄積されたユーザＵａの初期ユーザ情報データ、現状ユーザ情報データ、実行状況データ、施策外行動実施データ等を用いて、ユーザＵａの肌、体、心の各状態の推移や変化を示す情報を、ユーザ端末３０の表示器３１に表示する。
【０１４２】
例えば、肌サポートアプリ３５ａは、図１３に示したように、スケジュールによる施策以外のユーザＵａの行動（洗顔法の変更、マッサージを受けた等）、及びユーザの体調（生理、睡眠不足等）と、ユーザＵａの肌状態の変化の関係を日単位の時系列グラフで、表示器３１に表示する。
【０１４３】
また、肌サポートアプリ３５ａは、図１４に示したように、一カ月単位で、ユーザＵａの角質状態を含む肌状態、心理状態、肌ケアの満足度、及び化粧品の使い方の評価値の変化を対比したレーダーチャートを表示器３１に表示する。
【０１４４】
ユーザＵａは、肌サポートアプリ３５ａによるこれらの表示を視認して、自身の肌、体、心の各状態の変化を確認することにより、肌の改善度と共に、体と心の状態の変化も把握することができるため、肌、体、及び心の状態をバランス良く改善しながら、目標とする肌状態のゴールへの到達することができる。
【０１４５】
［Ｇ．スケジュール修正］
図３に示した「４．スケジュール修正」の工程は、ユーザＵａが肌サポートアプリ３５ａ上で設定した期間ごとに（図１１Ｂでは１週間ごとに）、施策情報送信部１３により実行される。図５のＳＴＥＰ１７〜ＳＴＥＰ２０、及びＳＴＥＰ３０〜ＳＴＥＰ３３が、施策情報送信部１３による処理である。
【０１４６】
施策情報送信部１３は、ＳＴＥＰ１７で、サポートＤＢ２０に蓄積されたユーザＵａの初期ユーザ情報データ、現状ユーザ情報データ、及び実行状況データ等に基づいて、ユーザＵａ肌状態の目標達成度、スケジュールに組み込まれた各施策の実行度、及び各施策の効果を評価する。各施策の効果とは、各施策の実行の前後におけるユーザＵａのゴールに関連した、肌状態、体状態又は心状態のうち少なくとも１つの状態（指定状態）のスコアの変化により求められる。例えば、ある施策を実行したときに、指定状態のスコアが２から３に上昇した場合には、効果＋１として求められうる。
【０１４７】
施策情報送信部１３は、図１５Ａに示した施策の評価基準を用いて、肌状態と体又は心の状態との相関関係を抽出し、この相関関係に基づいて、スケジュールに組み込まれた各施策の継続、施策グループからの除外、施策の中止、別の施策への変更を判断する。
【０１４８】
図１５Ａの評価基準では、判定項目として、実施の有無、肌への影響、体への影響、心への影響という四項目が使用され、実施率が所定実施率を超え、肌に良い影響があり、且つ、体と心に悪い影響がない施策については、Ａ評価となって継続と判断される。なお、図１５Ａでは、実施率が所定の実施率を超えた施策を「実施」として表記し、実施率が所定の実施率以下であった施策を「不実施」として表記している。図１２及び図１５Ｂでも同様である。
【０１４９】
施策の影響のタイミングと影響が継続する期間が施策ごとに定められている場合、施策情報送信部１３は、施策の影響のタイミングと施策の影響が継続する期間に基づいて、各施策の影響を判定してもよい。
【０１５０】
例えば、「湯船につかる」という施策の肌への影響、体への影響、心への影響は、翌日に影響が出、１日だけ継続すると定められていた場合、施策情報送信部１３は、例えば１２月１５日の「湯船につかる」という施策の影響は、１２月１６日の各状態に反映されていると判断する。
【０１５１】
また、「野菜摂取」という施策の肌への影響、体への影響、心への影響は、１週間後に影響が出、３日だけ継続すると定められていた場合、施策情報送信部１３は、例えば１２月１５日の「野菜摂取」という施策の影響は、１２月２２日〜１２月２４日の各状態に反映されていると判断する。
【０１５２】
それに対して、実施され、肌に良い影響があるが、体と心のいずれかに悪い影響がある施策については、Ｂ評価となって中止或は別施策への変更と判断される。また、実施率が所定の実施率以下となった施策はユーザＵａにとって負荷が大きかったと考えられるため、Ｃ評価となって中止或は別施策（例えば、ユーザＵａの負荷が軽減する施策又は別の施策）への変更と判断される。
【０１５３】
施策情報送信部１３は、各施策を１日だけ実施することで肌、体、心への良いまたは悪い影響があるかの評価を行っても良いし、数日や数週間などの一定期間において各施策を実施することで、肌、体、心への良いまたは悪い影響があるかの評価を行ってもよい。一定期間で評価を行う場合、施策情報送信部１３は、例えば、一定割合でいずれかの状態に悪影響が出た場合にＢ評価とし、実施割合が一定以下である場合にＣ評価とし、それ以外の場合Ａ評価としてもよい。これに代えて、施策情報送信部１３は、例えば、一定期間におけるいずれかの状態の満足度の平均値が所定以下となった場合にＢ評価としてもよい。また、１日におけるいずれかの状態の満足度が所定以下となり、かつ、一定期間におけるいずれかの状態の満足度の平均値が所定以下となった場合にＣ評価とし、１日の評価におけるいずれかの状態の満足度が所定以下となり、または、一定期間におけるいずれかの状態の満足度の平均値が所定以下となった場合にＢ評価とし、１日におけるいずれかの状態の満足度が所定値を超え、かつ、一定期間におけるいずれかの状態の満足度の平均値が所定値を超えた場合にＡ評価とするなど、１日の評価と一定期間の評価とを組み合わせて用いてもよい。
【０１５４】
また、施策情報送信部１３は、図８に示した肌状態のスコアの向上度が所定の向上度以下である場合に、当該肌状態のスコアの向上度が所定の向上度以下である施策を施策グループから除外してもよい。施策情報送信部１３は、体状態又は心状態のスコアの向上度が所定の向上度以下である場合に、体状態又は心状態のスコアの向上度が所定の向上度以下である施策を施策グループから除外してもよい。
【０１５５】
図１５Ｂは、図１５Ａに示した評価基準を、本実施形態における施策（湯船につかる、野菜摂取、１万歩以上歩く）に適用した例を示している。図１５Ｂにより、施策情報送信部１３は、「湯船につかる」についてはＡ評価として、次のスケジュールでの継続を決定し、「野菜摂取」についてはＢ評価として、施策グループからの除外、次のスケジュールでの中止或は他の施策への変更を決定し、「１万歩以上歩く」についてはＣ評価として、施策グループからの除外、次のスケジュールでの中止或は他の施策への変更を決定している。
【０１５６】
施策情報送信部１３は、複数の施策が行われた影響については、それらの施策の組合せごとに判断する。例えば、施策情報送信部１３は、「湯船につかる」「野菜摂取」の組合せが、Ｂ評価又はＣ評価であった場合、「湯船につかる」若しくは「野菜摂取」の単独の施策のみとするか、又はこれらのいずれかの施策と別な施策との組み合わせとするように変更してもよい。
【０１５７】
施策情報送信部１３はこのような評価処理を行って、スケジュール修正（主として施策グループの他の施策への変更による修正）の要否を判断し、スケジュール修正が必要と判断したときには、ＳＴＥＰ３０に処理を進めてスケジュールを修正する。
【０１５８】
そして、修正したスケジュールのデータであるスケジュール修正データをユーザ端末３０送信して、ＳＴＥＰ１９に処理を進める。一方、スケジュールの修正が不要であると判断したときには、施策情報送信部１３は、図５のＳＴＥＰ１８から図５のＳＴＥＰ１９に処理を進め、この場合、スケジュールは修正されない。
【０１５９】
次に、施策情報送信部１３は、ＳＴＥＰ１９で、初期ユーザ情報データ、現状ユーザ情報データ、及び施策外行動実施データ等に基づいて、ユーザＵａが行った各施策外行動（スケジュールに組み込まれている施策以外に、ユーザが行った行動）を評価する。
【０１６０】
施策情報送信部１３は、図１６Ａに示した施策外行動の評価基準を用いて、施策外行動の推奨の有無又は禁止の提案を判断する。図１６Ａの評価基準では、判定項目として、肌、体、心の各状態への影響が使用される。
【０１６１】
そして、「肌、体、心のいずれかに良い影響があり、且ついずれについても悪い影響が無い」場合は、Ｄ評価となって実施が推奨される。それに対して、「肌、体、心のいずれかに悪い影響がある」場合は、Ｅ評価となって禁止が提案される。また、「肌、体、心のいずれにも影響が無い」場合には、Ｆ評価となって実施が推奨されない。
【０１６２】
図１６Ｂは、図１６Ａに示した評価基準を、本実施形態における施策外行動（マッサージを受けた、チョコレートを大量に摂取した）に適用した例を示している。図１６Ｂにより、施策情報送信部１３は、「マッサージを受ける」についてはＤ評価として、次のスケジュールでの実施の推奨を決定している。また、「チョコレートの大量摂取」についてはＥ評価として、次のスケジュールでの止めるための施策（例えば、和菓子を摂取する代替案）の提案を決定している。
【０１６３】
施策情報送信部１３は、スケジュールに組み込まれた施策の中止或は変更、又は施策外行動について、実施の推奨或は禁止の提案を決定したときには、ＳＴＥＰ２０からＳＴＥＰ３１に処理を進める。そして、推奨を決定したときはＳＴＥＰ３１からＳＴＥＰ３３に処理を進め、施策外行動の実施を推奨する施策外行動推奨データをユーザ端末３０に送信して、図４のＳＴＥＰ１３に処理を進める。
【０１６４】
一方、施策情報送信部１３は、禁止の提案を決定したときには、ＳＴＥＰ３１からＳＴＥＰ３２に処理を進め、施策外行動の禁止を提案する施策外行動禁止データをユーザ端末３０に送信して、図４のＳＴＥＰ１３に処理を進める。
【０１６５】
また、施策情報送信部１３は、推奨又は禁止を提案する施策外行動がない場合には、ＳＴＥＰ２０から図４のＳＴＥＰ１３に処理を進める。なお、禁止を提案する施策外行動に代替行動がある場合には、禁止の提案に代えて代替行動への変更を提案する施策外行動禁止データをユーザ端末３０に送信するようにしてもよい。
【０１６６】
ユーザ端末３０において、肌サポートアプリ３５ａは、図７のＳＴＥＰ５７で、肌サポートサーバ１０からスケジュール修正データを受信すると、ＳＴＥＰ６５に処理を進め、スケジュール修正データに基づいてスケジュールを修正する。そして、肌サポートアプリ３５ａは、メモリ３６に保持されたスケジュールデータを更新して、処理をＳＴＥＰ５８に進める。
【０１６７】
また、肌サポートアプリ３５ａは、図７のＳＴＥＰ５８で、肌サポートサーバ１０から施策外行動推奨データ又は施策外行動禁止データを受信すると、ＳＴＥＰ６６に処理を進め、受信したデータに応じて、施策外行動を推奨又は禁止の提案を報知する画面をユーザ端末３０の表示器３１に表示する。なお、この報知は、例えば図１２に示した進捗表に報知メッセージを表示して行ってもよい。また、推奨する施策外行動を、新たな施策としてスケジュールを修正してもよい。
【０１６８】
また、関係認識部２２、現状ユーザ情報認識部２３、第１要素認識部２４、第２要素抽出部２５、予測部２６、目標認識部２７及び行動認識部２８は、図５のＳＴＥＰ４００において、施策認識処理を実行して、スケジュールを修正してもよい。施策認識処理の詳細は後述する。
【０１６９】
また、肌サポートアプリ３５ａは、肌サポートサーバ１０から施策認識処理で認識された施策を示す情報を受信すると、図７のＳＴＥＰ１１０に示す施策出力処理を実行する。施策出力処理の詳細は後述する。
【０１７０】
［Ｈ．ゴール判定工程］
図３に示した「５．ゴール判定」の工程は、ユーザＵａが肌サポートアプリ３５ａ上で設定した期間ごとに（図１１ＢにおいてはＳＴＡＲＴから３か月後）、肌状態認識部１１、施策グループ選択部１２及び施策情報送信部１３により実行される。
【０１７１】
肌サポートアプリ３５ａは、角質採取テープ３７の使用と、角質採取テープ３７の郵送を促すメッセージをユーザ端末３０の表示器３１に表示する。
【０１７２】
肌状態認識部１１は、郵送された角質採取テープ３７から得られた情報に基づいて、肌状態の客観値（保水能力、皮脂適格性など）を認識する。客観値は、水分量が０−１００μＳ等、肌の物理状態を示す値そのままであってもよいし、それぞれの物理状態を大小に応じて１〜１０のいずれかに割り当てるなどして正規化した値であってもよい。
【０１７３】
また、肌サポートアプリ３５ａは、アンケートの回答、肌等の撮像の使用を促すメッセージをユーザ端末３０の表示器３１に表示し、得られた情報を送信する。
【０１７４】
肌状態認識部１１は、肌サポートアプリ３５ａから得られた情報に基づいて、肌の乾燥感の主観値（主観スコア）と、肌状態の客観値（肌の画像スコア）を認識する。
【０１７５】
施策グループ選択部１２及び施策情報送信部１３は、肌の乾燥感の主観値と、肌状態の客観値とに基づいて、肌状態のサポート開始時と３カ月後における評価値を比較して、ゴール達成度を判定する。
【０１７６】
図１７の例では、乾燥感の主観値のスコアが３カ月で３から５に増加しているので達成（○）と判定し、客観値についても、肌の画像スコアが３カ月で３から４に増大し、保水能力が２に維持され、皮脂適格性が１から２に増大しているので達成（○）と判定されている。そして、主観値と客観値が共にゴールを達成しているので、トータルとしてもゴールを達成したと判定している。
【０１７７】
肌状態認識部１１及び施策グループ選択部１２は、ゴールを達成した場合には新たなゴールを設定するため、図３に示した「１．ゴール設定」の工程を再度実行する。肌状態認識部１１及び施策グループ選択部１２は、ゴール未達の場合は、「２．スケジュール決定」工程を実施してもよいし、ユーザの希望または進捗に応じて「１．ゴール設定」の工程を再度実行してもよい。
【０１７８】
［Ｉ．２次データ生成］
図３に示した「６．２次データ生成」の工程は、２次データ生成部１９により実行される。２次データ生成部１９は、複数のユーザＵから送信される初期ユーザ情報データ、角層細胞解析データ、現状ユーザ情報データ、実行状況データ、施策外行動実施データ等の各種データ（以下、ユーザ個別データという）を、ユーザごとにサポートＤＢ２０に順次蓄積する。
【０１７９】
そして、２次データ生成部１９は、サポートＤＢ２０に蓄積されたユーザ個別データを分析して、例えば図１８に示したように、各ユーザの特性（性別、年齢、居住地、嗜好、ライフスタイル等）、サポートの改善対象（乾燥感、ごわつき、敏感、ニキビ、しぼみ感等）、スケジュールにより提案された施策（湯船につかる、野菜摂取、１万歩以上歩く等）、及び施策の実施による肌、体、心の各状態の変化等を関連付けた２次データを生成する。
【０１８０】
また、２次データ生成部１９は、施策外行動についても図１８と同様に、各ユーザの特性と施策外行動の実施による肌、体、心の各状態の影響とを関連付けた２次データを生成する。
【０１８１】
このようにして生成された２次データは、同様の特性を有するユーザについて、体及び心に良い影響を与えつつ肌状態の改善を図るために有効な施策を選択する際に、有効に活用することができる。例えば、上述した図３の「２．スケジュール決定」の工程において、施策グループ選択部１２は、２次データを参照して、ユーザＵａの特性に適合した施策を選択することができる。
【０１８２】
また、上述した図３の「４．スケジュール修正」の工程において、施策情報送信部１３は、ユーザＵａの肌、体、心の各状態の推移に応じてスケジュールを変更する際に、２次データを参照して、より有効な施策或は施策外行動を組み込んだスケジュールに変更することができる。
【０１８３】
さらに、２次データは、肌状態のサポートを行う上で有効に利用できると共に、ある特性を有するユーザ（例えば、東京に住む３０代のアウトドア志向の女性等）をターゲットとしたマーケティング等の目的にも利用することができる。そのため、２次データを図１に示した他のシステム６０等に提供してもよい。
【０１８４】
［Ｊ．入力受付処理］
次に、図１９Ａを参照して、図６のＳＴＥＰ１００の入力受付処理の詳細を説明する。
【０１８５】
図１９ＡのＳＴＥＰ１０２において、肌サポートアプリ３５ａは、図２０に示される情報入力画面Ｐ１を表示器３１に表示する。
【０１８６】
情報入力画面Ｐ１には、肌ケアに関する入力表示Ｐ１１と、体状態に関する入力表示Ｐ１２と、気分及び行動に関する入力表示Ｐ１３と、疾患の状態Ｐ１４と、決定ボタンＰ１５とを含む。
【０１８７】
肌ケアに関する入力表示Ｐ１１には、例えば、ニキビ入力フォームＰ１１１及び肌ケア時の乳液の状態に関する入力フォームＰ１１２のように、肌に関する各要素に関する入力フォームがネストされている。
【０１８８】
体状態に関する入力表示Ｐ１２には、例えば、便秘入力フォームＰ１２１、体調入力フォームＰ１２２、舌の色入力フォームＰ１２３、舌の斑点入力フォームＰ１２４、舌のひび割れ入力フォームＰ１２５、舌の苔入力フォームＰ１２６のように、体に関する各要素に関する入力フォームがネストされている。ここで、「体状態」との用語を、肌以外の身体の状態を意味し、疾患なども含むが、心の状態のように、精神的な状態は含まない用語として用いる。
【０１８９】
気分・行動に関する入力表示Ｐ１３には、今日の気分入力フォームＰ１３１、気持ちの疲労感入力フォームＰ１３２、気持ちよく接することができたかについての入力フォームＰ１３３、及び今日の自分についての入力フォームＰ１３４等の、心又は行動に関する各要素に関する入力フォームがネストされている。
【０１９０】
疾患の状態に関する入力表示Ｐ１４には、今日の状態入力フォームＰ１４１、血液値入力フォームＰ１４２等の疾患に関する各要素に関する入力フォームがネストされている。
【０１９１】
各入力フォームは、５個等の数値の入力を受け付ける入力フォームであってもよいし、スライドバーにより数値の指定可能な入力フォームであってもよいし、各状態を示す文言をプルダウンメニュー等により選択可能な選択ボックスであってもよいし、ユーザＵａが任意にテキストを入力可能なテキストボックスであってもよいし、その他の入力フォームであってもよい。
【０１９２】
図１９ＡのＳＴＥＰ１０４において、肌サポートアプリ３５ａは、タッチパネル３２を介してユーザＵａの操作を検知すると、入力された情報を認識する。
【０１９３】
図１９ＡのＳＴＥＰ１０６において、肌サポートアプリ３５ａは、不図示の時計機能を参照して、入力日時を認識する。これに加えてまたは変えて、肌サポートアプリ３５ａは、タッチパネル３２を介してユーザにより指定された日時を認識してもよい。
【０１９４】
タッチパネル３２を介して決定ボタンＰ１５の押圧操作を検知すると、図１９ＡのＳＴＥＰ１０８において、肌サポートアプリ３５ａは、入力された情報と入力日時とを肌サポートサーバ１０に送信する。
【０１９５】
［Ｋ．入力受付処理］
次に、図１９Ｂを参照して、図４のＳＴＥＰ２００で実行されるスコア記憶処理を説明する。
【０１９６】
図１９ＢのＳＴＥＰ２０２において、スコア情報認識部２１は、指定の基準に従って、ユーザ端末３０から受信した情報に含まれる各要素の状態をスコア化する。例えば、スコア情報認識部２１は、不図示のテーブル又は関数を用いることにより、図２１に示されるように、受信したニキビ「５個」などの情報をニキビのスコア５０のようにスコア化する。スコア情報認識部２１は、各要素の状態が数値で表されているときには、その数値をそのままスコアとして認識してもよいし、所定の式による演算等を行ってスコア化してもよい。また、スコア情報認識部２１は、例えば、機械学習により生成されたフィルタを用いて、ユーザにより自由に入力されたテキスト情報をスコア化してもよい。スコア情報認識部２１は、ユーザにより自由に入力されたテキスト情報について、予め定められた単語の数を数えることにより、スコア化をしてもよい。スコア情報認識部２１は、複数の入力情報から１つのスコアを認識してもよいし、１の入力情報から複数のスコアを認識してもよい。
【０１９７】
図１９ＢのＳＴＥＰ２０４において、スコア情報認識部２１は、各スコアと入力の日付とを現状ユーザ情報データの一部としてサポートＤＢ２０に記憶する。スコア情報認識部２１は、入力の日付について、ユーザ端末３０から受信した情報を用いることに代えてまたは加えて、肌サポートサーバ１０の時計機能等を参照することにより、ＳＴＥＰ２０４実行時点の日付を認識してもよい。
【０１９８】
［Ｌ．相関行動情報記憶処理］
次に、図１９Ｃを参照して、図４のＳＴＥＰ３００で実行される相関行動情報記憶処理を説明する。
【０１９９】
図１９ＣのＳＴＥＰ３０２において、スコア情報認識部２１は、受信した情報に示されるユーザＵａの行動をスコア化する。受信した情報とは、例えば、図５のＳＴＥＰ１４で受信された施策実施データであってもよいし、図５のＳＴＥＰ１５で受信された施策外行動実施データであってもよいし、任意のタイミングで図２０の情報入力画面Ｐ１又はこれに類似する画面に入力された情報であってもよいし、ユーザ端末３０のユーザＵａが使用するウェアラブルデバイスから任意のタイミングで受信した情報であってもよいし、ユーザＵａが使用するＳＮＳ（Ｓｏｃｉａｌ  Ｎｅｔｗｏｒｋｉｎｇ  Ｓｙｓｔｅｍ）等の外部のサーバから受信した情報であってもよい。
【０２００】
図１９ＣのＳＴＥＰ３０４において、スコア情報認識部２１は、ユーザＵａの行動のスコアと日付とをサポートＤＢ２０に記憶する。日付については、ＳＴＥＰ２０４と同様である。
【０２０１】
図１９ＣのＳＴＥＰ３０６において、関係認識部２２は、各期間におけるユーザＵａの肌、心又は体の要素のスコアを分析し、当該スコアが所定の条件を満たす期間を抽出する。例えば、関係認識部２２は、ユーザＵａの肌、心又は体の要素のスコアが所定の第１範囲に含まれる期間を抽出する。また、関係認識部２２は、ユーザＵａの肌、心又は体の要素のスコアの微分値または変化量を認識する。また、関係認識部２２は、ユーザＵａの肌、心又は体の要素のスコアの微分値または変化量が所定の第２範囲に含まれる期間を抽出する。
【０２０２】
より具体的には、関係認識部２２は、例えば、図２２に示されるように、サポートＤＢ２０に記憶された図２１の右側のテーブルなどを参照することにより、ユーザの乾燥感スコアＣ（ｔ）（ｔは日付を示す変数）が、所定の閾値Ｃ１以上となる期間ｔｉ１〜ｔｉ２、ｔｊ１〜ｔｊ２を認識する。
【０２０３】
そして、図１９ＣのＳＴＥＰ３０８において、関係認識部２２は、サポートＤＢ２０に記憶された図２１の右側のテーブルなどを参照することにより、肌、心又は体の要素のスコアが所定の条件を満たす期間より所定の第１期間前の行動のスコアを認識する。
【０２０４】
例えば、関係認識部２２は、例えば、図２２に示されるように、図１９ＣのＳＴＥＰ３０６において認識された期間ｔｉ１〜ｔｉ２、ｔｊ１〜ｔｊ２より、所定の第１期間Δｔ１前の期間ｔｉ１−Δｔ１〜ｔｉ３−Δｔ１、ｔｊ１−Δｔ１〜ｔｉ３−Δｔ１の行動のスコアＤ（ｔ）を認識する。ここで、第１期間Δｔ１は、例えば、１日、３日、１週間、１か月のように、予め一律に定められた期間であってもよいし、例えば、乾燥感に対応する期間のように、肌、心又は体の各要素ごとに定められた期間であってもよいし、乾燥感および野菜摂取に対応する期間のように、肌、心又は体の各要素及び行動の要素ごとに定められた期間であってもよい。また、第１期間Δｔ１は、予め開発者等により定められた期間であってもよいし、ユーザＵａの過去のデータから定められた期間であってもよい。
【０２０５】
また、ＳＴＥＰ３０６で認識される期間の長さとＳＴＥＰ３０８で認識される期間の長さとは同一である必要はなく、ＳＴＥＰ３０６で認識される期間の方が長くてもよいし、ＳＴＥＰ３０８で認識される期間の方が長くてもよい。また、ＳＴＥＰ３０６で認識される期間の長さに適当な係数をかけることにより、ＳＴＥＰ３０８で認識される期間の長さが算出されてもよい。
【０２０６】
図１９ＣのＳＴＥＰ３１０において、関係認識部２２は、肌、心又は体の要素のスコアが所定の条件を満たす期間における肌、心又は体の要素のスコアＣ（ｔ）と、当該期間より所定の第１期間前における行動のスコアＤ（ｔ）との相関係数ｒ（Ｃ，Ｄ）を認識する。
【０２０７】
例えば、関係認識部２２は、下記式１を用いて肌、心又は体の要素のスコアが所定の条件を満たす期間における肌、心又は体の要素のスコアＣ（ｔ）と、当該期間より所定の第１期間前における行動のスコアＤ（ｔ）との相関係数ｒ（Ｃ，Ｄ）を求める。
【０２０８】
【数１】
2019075120.tif 000003
【０２０９】
ここで、ＳＣＤは、肌、心又は体の要素のスコアが所定の条件を満たす期間における肌、心又は体の要素のスコアＣ（ｔ）と、当該期間より所定の第１期間前における行動のスコアＤ（ｔ）との共分散である。
【０２１０】
Ｓｃは肌、心又は体の要素のスコアが所定の条件を満たす期間を含む、当該期間及び第１期間よりも長期間である考慮対象期間における肌、心又は体の要素のスコアＣ（ｔ）の標準偏差である。
【０２１１】
ＳＤは肌、第１期間を含む、考慮対象期間における行動の要素のスコアＤ（ｔ）の標準偏差である。
【０２１２】
第１期間は、例えば、１週間であり、考慮対象期間は、例えば、３か月である。
【０２１３】
共分散ＳＣＤと標準偏差ＳＣ、ＳＤとの関係は、図２３に示されている。
【０２１４】
所定の条件を満たす期間における肌、心又は体の要素のスコアＣ（ｔ）の個数と、当該期間より所定の第１期間前における行動のスコアＤ（ｔ）の個数とが異なる場合、関係認識部２２は、例えば、次のように調整して共分散を算出してもよい。
【０２１５】
（１）少ない個数のスコアに基づいて補完スコアを作成する。
【０２１６】
例えば、所定の条件を満たす期間における肌、心又は体の要素のスコアがＣ（ｔｉ１）、Ｃ（ｔｉ２）の２つであり、当該期間より所定の第１期間前における行動のスコアがＤ（ｔｉ１−Δｔ１）、Ｄ（ｔｉ２−Δｔ１）、Ｄ（ｔｉ３−Δｔ１）の３つである場合、関係認識部２２は、Ｃ（ｔｉ１）又はＣ（ｔ２）を１つ増やしたり、Ｃ（ｔｉ１）とＣ（ｔｉ２）との平均（Ｃ（ｔｉ１）＋Ｃ（ｔｉ２））／２をＣ（ｔ１）とＣ（ｔ２）との間に追加したりすることによって、共分散に用いる所定の条件を満たす期間における肌、心又は体の要素のスコアの個数と、当該期間より所定の第１期間前における行動のスコアの個数とを同一にする。
【０２１７】
（２）多い個数のスコアの一部を無視する。
【０２１８】
例えば、所定の条件を満たす期間における肌、心又は体の要素のスコアがＣ（ｔｉ１）、Ｃ（ｔｉ２）の２つであり、当該期間より所定の第１期間前における行動のスコアがＤ（ｔｉ１−Δｔ１）、Ｄ（ｔｉ２−Δｔ１）、Ｄ（ｔｉ３−Δｔ１）の３つである場合、関係認識部２２は、Ｄ（ｔｉ１−Δｔ１）、Ｄ（ｔｉ２−Δｔ１）、Ｄ（ｔｉ３−Δｔ１）のいずれかを無視することによって、共分散に用いる所定の条件を満たす期間における肌、心又は体の要素のスコアの個数と、当該期間より所定の第１期間前における行動のスコアの個数とを同一にする。
【０２１９】
なお、関係認識部２２は、各スコアの時系列における順序を保ちながら、共分散を算出する。
【０２２０】
図１９ＣのＳＴＥＰ３１２において、関係認識部２２は、相関係数が所定の第３範囲（例えば、０．５以上または−０．５未満の範囲）の肌、心又は体に関する要素と行動とこれらの相関係数とをサポートＤＢ２０に記憶する。
【０２２１】
例えば、関係認識部２２は、図２４Ａに示されるように、肌、心又は体に関する各要素「ニキビ」「乾燥感」「頭痛」と、各行動「野菜を食べる」「水を飲む」「お酒を飲む」と、これらの相関係数「−０．８」「−０．６」「０．８」とを関連付けてサポートＤＢ２０に記憶する。
【０２２２】
［Ｍ．施策認識処理］
次に、図２５を参照して、図５のＳＴＥＰ４００で実行される施策認識処理を説明する。
【０２２３】
図２５のＳＴＥＰ４０２において、関係認識部２２は、各期間における肌の各要素のスコアを分析し当該スコアが所定の条件を満たす期間を抽出する。関係認識部２２は、例えば、図２６に示されるように、ニキビのスコアＥ（ｔ）がＥ１以上となる期間ｔｋ１〜ｔｋ３、ｔｌ１〜ｔｌ３を抽出する。図２５のＳＴＥＰ４０２の処理は、図１９のＳＴＥＰ３０６の処理と同様であるので、説明を省略する。
【０２２４】
以下、処理対象の要素を第１要素として説明する。第１要素は、何らかの基準により選択された要素であってもよいし、ユーザＵａ等により指定された要素であってもよい。また、肌の各要素をそれぞれ第１要素として図２５のＳＴＥＰ４０４以下の処理が行われてもよい。
【０２２５】
図２５のＳＴＥＰ４０４において、関係認識部２２は、第１要素のスコアが所定の条件を充足する期間より、所定の期間後の体の各要素のスコアを認識する。
【０２２６】
例えば、関係認識部２２は、図２６に示されるように、上記期間ｔｋ１〜ｔｋ３、ｔｌ１〜ｔｌ３の所定の期間Δｔ２後の期間ｔｋ１＋Δｔ２〜ｔｋ２＋Δｔ２、ｔｌ１＋Δｔ２〜ｔｌ２＋Δｔ２を抽出し、図２１の右に示されるテーブル等を参照することにより、当該期間における体の要素「頭痛」のスコアＦ（ｔｋ１＋Δｔ２）、Ｆ（ｔｋ２＋Δｔ２）、Ｆ（ｔｌ１＋Δｔ２）、Ｆ（ｔｌ２＋Δｔ２）を認識する。図２５のＳＴＥＰ４０４
の処理の詳細は、図１９ＣのＳＴＥＰ３０８と同様であるので説明を省略する。
【０２２７】
図２５のＳＴＥＰ４０６において、関係認識部２２は、肌の要素と体の要素との相関係数を認識する。図２５のＳＴＥ４０６の処理は、図１９ＣのＳＴＥＰ３１０と同様の処理である。関係認識部２２は、図２４Ｂに示されるように、肌の要素と体の要素とこれらの相関係数とを関連付けてサポートＤＢ２０に記憶する。
【０２２８】
図２５のＳＴＥＰ４１０において、現状ユーザ情報認識部２３はサポートＤＢ２０に記憶された最新の現状ユーザ情報データを認識する。
【０２２９】
図２５のＳＴＥＰ４１０において、第１要素認識部２４は最新の現状ユーザ情報データに基づいて、最新のユーザＵａの肌の第１要素のスコアを認識する。
【０２３０】
図２５のＳＴＥＰ４１２において、第２要素抽出部２５は、サポートＤＢ２０を参照して、第１要素との相関係数が所定の４範囲（例えば０．７以上、または−０．７未満）に含まれる体の第２要素を抽出する。例えば、第２要素抽出部２５は、図２４Ｂに示されるテーブルから、第１要素「ニキビ」との相関係数が所定の４範囲（例えば０．７以上、または−０．７未満）に含まれる体の第２要素「頭痛」を抽出する。
【０２３１】
図２５のＳＴＥＰ４１４において、予測部２６は、過去のデータ及び相関係数に基づいて、第２要素の将来のスコアを予測する。例えば、予測部２６は、相関係数が正の第１所定値（例えば０．７）以上であれば、現在のスコアから過去のデータにおける増分の平均値だけ増加するとして第２要素の将来のスコアを予測する。例えば、予測部２６は、相関係数が負の所定値（例えば−０．７）以下であれば、現在のスコアから過去のデータにおける減分の平均値だけ減少するとして第２要素の将来のスコアを予測する。
【０２３２】
図２５のＳＴＥＰ４１６において、目標認識部２７は、ユーザＵａの体の第２要素についての目標スコアを認識する。この目標スコアは、例えば図４のＳＴＥＰ１１で設定され、サポートＤＢ２０に記憶された目標スコアでもよい。
【０２３３】
図２５のＳＴＥＰ４１８において、行動認識部２８は、第２要素の将来のスコアが所定の第５範囲に含まれているか否かを判定する。
【０２３４】
例えば、第５範囲は、第２要素の将来のスコアが、第２要素の現在のスコアよりも第２要素の目標スコアからかい離するという範囲であってもよい。例えば、目標スコアが１００であり、現在のスコアが５０であれば、第５範囲は５０未満の範囲である。また、第５範囲は、頭痛等の疾患の症状が現れるというあらかじめ定められた範囲であってもよい。第５範囲は、ユーザＵａ等により指定された範囲であってもよい。
【０２３５】
これに加えて又は代えて、行動認識部２８は、第２要素の将来のスコアが目標スコアかつ所定の値（例えば第２要素の現在のスコア）より小さいか否かを判定してもよい。これに加えて又は代えて、行動認識部２８は、第２要素の将来のスコアが現在の第２要素のスコアより目標スコアから遠のくかどうかを判定してもよい。 
【０２３６】
当該判定結果が肯定的である場合（図２５のＳＴＥＰ４１８でＹＥＳ）、図２５のＳＴＥＰ４２０において、行動認識部２８は、第２要素のスコアが所定の第５範囲を回避する施策を認識する。行動認識部２８は、第２要素と対応策とを予め記憶したテーブルなどを参照することにより、第２要素の将来のスコアが所定の第５範囲から範囲外となる施策を認識してもよい。また、行動認識部２８は、図２４Ａに示される第１要素又は第２要素と行動の相関係数に基づいて、第１要素のスコアが第４範囲から外れるような行動又は第２要素のスコアが第５範囲から外れるような行動を、第２要素の将来のスコアが所定の第５範囲から範囲外となる施策として認識してもよい。
【０２３７】
当該判定結果が否定的である場合（図２５のＳＴＥＰ４１８でＮＯ）、図２５のＳＴＥＰ４２０において、行動認識部２８は、現在の行動を維持することを施策として認識する。
【０２３８】
図２５のＳＴＥＰ４２２において、行動認識部２８は、認識した施策と、第１要素の現在のスコアに応じた状態、第２要素の将来のスコアに応じた状態を含む情報をユーザ端末３０に送信する。
【０２３９】
［Ｎ．施策認識処理］
次に、図１９Ｄを参照して、図７のＳＴＥＰ１１０で実行される施策出力処理を説明する。
【０２４０】
図１９ＤのＳＴＥＰ１１２において、肌サポートアプリ３５ａは、受信した情報に基づいて、施策推奨画面Ｐ２を作成する。
【０２４１】
図１９ＤのＳＴＥＰ１１２において、肌サポートアプリ３５ａは、施策推奨画面Ｐ２を表示器３１に出力する。
【０２４２】
施策推奨画面Ｐ２は、図２７に示されるように、予測情報の表示Ｐ２１と、施策情報の表示Ｐ２２とが含まれている。
【０２４３】
予測情報の表示Ｐ２１は第１要素（図２７では「ニキビ」）の現在のスコアに応じた状態（図２７では「多くなっている」）と、第２要素（図２７では「頭痛」）の将来のスコアに応じた状態（図２７では「悪化する」）とを含む情報の表示である。
【０２４４】
施策情報の表示Ｐ２２は、図２５のＳＴＥＰ４１８又はＳＴＥＰ４２０で認識された施策を示す情報の表示である。
【０２４５】
（本実施形態の作用効果）
本実施形態の情報出力システムによれば、スコア情報認識部２１により、ユーザの固有のユーザ情報に基づいて、図２１の右側に示されるように、ユーザの複数の要素のスコアの時系列遷移を示す情報が認識される（図１９ＢのＳＴＥＰ２０２〜ＳＴＥＰ２０４）。
【０２４６】
そして、関係認識部２２により、前記情報に基づいて、一の要素のスコアの時系列遷移と他の要素のスコアの時系列遷移を所定の期間にずらした時系列遷移との相関が認識される（図２５のＳＴＥＰ４０２〜ＳＴＥＰ４０４）。
【０２４７】
一の要素のスコアの時系列遷移と他の要素のスコアの時系列遷移を所定の期間ずらした時系列遷移との間に相関があれば、換言すれば、一方の要素の変化が、変化のあった時点よりも後の他方の要素の変化と相関がある場合、当該一方の要素の変化が当該他方の要素の変化の原因となっている可能性がある。すなわち、一の要素は、他の要素と何らかの因果関係を有している可能性がある。
【０２４８】
そして、肌サポートアプリ３５ａにより、前記相関に基づいて、要素の一又は複数の組を示す予測情報の表示Ｐ２１が表示器３１に出力される（図１９ＤのＳＴＥＰ１１４）。
【０２４９】
これにより、因果関係が存在する可能性のある要素の組をユーザＵａに認識させることができる。
【０２５０】
また、上記相関は、ユーザＵａの固有の複数の要素のそれぞれのスコアの時系列遷移から求められた相関である。したがって、このような相関は、先行の研究等がなくとも認識されうる。
【０２５１】
したがって、仮に、ある２つの要素が今まで注目されていなかったとしても、当該構成の情報出力システムによれば、これらの要素間の関連性をユーザＵａに認識させることができる。
【０２５２】
また、当該構成の情報出力システムによれば、第１要素認識部２４により、現状ユーザ情報に示されるユーザの第１要素が認識される（図２５のＳＴＥＰ４１０）。
【０２５３】
そして、第２要素抽出部２５により、互いに相関を有する要素を示す情報に基づいて、前記第１要素と相関のある前記ユーザの第２要素が抽出される（図２５のＳＴＥＰ４１２）。
【０２５４】
そして、予測部２６により、互いに相関を有する要素を示す情報及び現状ユーザ情報に示される第１要素のスコアに基づいて、ユーザの第２要素の将来のスコアが予測される（図２５のＳＴＥＰ４１４）。
【０２５５】
そして、肌サポートアプリ３５ａにより、ユーザの第２要素の将来のスコアに応じた予測情報の表示Ｐ２１が表示器３１に出力される（図１９ＤのＳＴＥＰ１１４）。
【０２５６】
これにより、ユーザＵａの情報に基づいて認識された相関とユーザＵａの現状を示す現状ユーザ情報とに基づいて、ユーザＵａにユーザＵａの現状から予測されるユーザＵａの将来の状態を認識させることができるので、ユーザＵａにより有用な情報が与えられる。
【０２５７】
また、当該構成の情報出力システムによれば、ユーザＵａが関心を持ちやすい肌及び体に関する要素間の因果関係を、ユーザＵａに知らしめることができる。
【０２５８】
また、当該構成の情報出力システムによれば、ユーザＵａが直接コントロールできるユーザＵａの行動と、ユーザＵａが関心を持ちやすい肌、体及び心のうち一に関する要素との関連をユーザに知らしめることができる。この結果、ユーザＵａに、ユーザＵａが関心を持ちやすい肌、体及び心のうち一に関する要素の状態を間接的にコントロールするヒントを与えることができる。
【０２５９】
また、当該構成の情報出力システムによれば、現状ユーザ情報認識部２３により、ユーザＵａの最新の情報である現状ユーザ情報データが認識される（図２５のＳＴＥＰ４０８）。
【０２６０】
そして、第１要素認識部２４により、現状ユーザ情報データに示されるユーザＵａの肌、体及び心のうちの少なくとも一に関連する要素である第１要素が認識される（図２５のＳＴＥＰ４１０）。
【０２６１】
そして、第２要素抽出部２５により、互いに相関を有する要素を示す情報に基づいて、第１要素と相関を有し、かつ、ユーザＵａの肌、体及び心のうちの少なくとも一に関連する要素である第２要素が抽出される（図２５のＳＴＥＰ４１２）。
【０２６２】
予測部２６により、前記相関係数及び現状ユーザ情報データに示される第１要素のスコアに基づいて、ユーザの第２要素の将来のスコアが予測される（図２５のＳＴＥＰ４１４）。
【０２６３】
行動認識部により、前記ユーザの第２要素の将来のスコアが所定範囲に含まれる場合に（図２５のＳＴＥＰ４１８でＹＥＳ）、前記第２要素の将来のスコアを前記所定範囲の範囲外にする行動が認識される（図２５のＳＴＥＰ４２０）。
【０２６４】
出力制御部により、前記行動の実施を推奨する情報が前記出力部に出力される（図１９ＤのＳＥＴＰ１１４）。
【０２６５】
これにより、相関係数に基づいて、第２要素の将来のスコアが所定範囲に含まれると予測された場合、前記第２要素の将来のスコアを前記所定範囲の範囲外にする行動の実施または回避を推奨する情報が出力部に出力される。これにより、ユーザＵａの第２要素の将来のスコアを所定範囲に維持させ又は所定範囲から逸脱させる観点から有効な行動を、ユーザＵａに提供することができる。
【０２６６】
また、当該構成の情報出力システムによれば、行動認識部２８により、ユーザＵａの第２要素の将来のスコアが所定範囲に含まれる場合、相関行動情報（図２４Ａ）に基づいて、第１要素または前記第２要素と相関を有し、かつ、第２要素の将来のスコアを前記所定範囲の範囲外にする行動が認識される（図５／ＳＴＥＰ４２０）。
【０２６７】
ここで、相関行動情報は、各要素と相関を有する行動及び各要素と行動との相関係数を示す。
【０２６８】
これにより、第１要素又は第２要素と因果関係が存在する可能性のある行動をユーザＵａに認識させることができる。
【０２６９】
また、仮に、第１要素又は第２要素と当該行動との関係が今まで注目されていなかったとしても、当該構成の情報出力システムによれば、第１要素又は第２要素と因果関係を有している可能性があり、かつ、前記第２要素の将来のスコアを前記所定範囲の範囲外にする当該行動をユーザＵａに認識させることができる。
【０２７０】
当該構成の情報出力システムによれば、第２要素の将来のスコアが目標スコアからかい離する範囲（第５範囲）に含まれると予測された場合に（図２５／ＳＴＥＰ４１８でＹＥＳ）、すなわち、第２要素の将来のスコアが目標スコアから遠ざかると予測された場合に、行動認識部２８により、第２要素の将来のスコアを当該所定範囲外とするような行動が認識される（図２５／ＳＴＥＰ４２０）。
【０２７１】
そして、肌サポートアプリ３５ａにより、当該行動の実施を推奨する情報が表示器３１に出力される。
【０２７２】
これにより、第２要素の将来のスコアが目標からかい離するおそれがある場合にユーザＵａにその状態を回避するための行動の実施を推薦することができる。
【０２７３】
（変形態様）
上記情報出力システムにより、サポートＤＢ２０により、複数のユーザＵａ、Ｕｂ、Ｕｃの情報に基づいて、当該複数のユーザＵａ、Ｕｂ、Ｕｃのそれぞれの年齢、性別、住所等の属性ごとに、各要素間の相関が認識されてもよい。
【０２７４】
この場合、肌サポートアプリ３５ａにより、対象の属性に対し、対象の属性に対応する
相関に基づいて、対象の属性に対応し、かつ、互いに相関を有する各要素を示す情報が表示器３１に出力されてもよい。
【０２７５】
このように構成すれば、サービスの提供開始段階など、一のユーザＵａの情報が十分には収集されていない段階でも、当該ユーザＵａと同一の属性の他のユーザＵｂ、Ｕｃの情報が収集されていれば、複数の情報に基づいて属性ごとに要素間の相関が認識されるので、対象の属性（ユーザＵａの属性）に対応し、かつ、互いに相関を有する各要素について、ユーザＵａに知らしめることができる。
【０２７６】
また、上記実施形態において、肌サポートアプリ３５ａが、スコア情報認識部２１、関係認識部２２、現状ユーザ情報認識部２３、第１要素認識部２４、第２要素抽出部２５、予測部２６、目標認識部２７及び行動認識部２８の一部または全部として機能してもよい。この場合、肌サポートアプリ３５ａは、予めまたは処理の実行時に肌サポートサーバ１０と通信して処理に必要なデータをダウンロードしてもよいし、検索等の適当な機能を肌サポートサーバ１０に実行させ、その結果を受信してもよい。
【０２７７】
上記実施形態では、第２要素の将来のスコアが所定の範囲内である場合に（図２５／ＳＴＥＰ４１８・・ＹＥＳ）、行動認識部２８は、第２要素の将来のスコアが所定の範囲の範囲外となるような施策が認識した（図２５／ＳＴＥＰ４２０）。これは、所定の範囲がユーザＵａにとって好ましくない場合を想定している。
【０２７８】
これに代えて、第２要素の将来のスコアが好ましい範囲、例えばユーザＵａの目標スコアに近づくまたは目標スコアを達成するような場合には、行動認識部２８は、第２要素の将来のスコアが所定の範囲の範囲外となるような行動を認識してもよい。肌サポートアプリ３５ａは、「このままでいけば第２要素の目標スコアが達成できそうです。この目標スコアの達成を阻害するような○○のような行動は避けましょう」などの当該行動の回避を推奨する情報を表示器３１に表示してもよい。
【０２７９】
関係認識部２２は、一の要素のスコアが所定の第１閾値を超えたまたは下回った期間の所定期間前後の他の要素のスコアが所定の第２閾値を超えたまたは下回る割合または他の要素のスコアが変曲点を含む割合を算出することにより、相関係数を算出してもよい。
【０２８０】
関係認識部２２は、一の要素のスコアの変曲点を迎えた時点の所定期間前後の他の要素のスコアが所定の第２閾値を超えたまたは下回る割合または他の要素のスコアが変曲点を含む割合を算出することにより、相関係数を算出してもよい。
【０２８１】
上記実施形態では、各要素のスコアで相関を認識したが、これに代えてまたは加えて、各スコアを特定の状態が発生したか否かの２値として各要素間の相関を認識してもよい。
【０２８２】
なお、上記実施形態では、スコア情報認識部２１は、図１９Ａの入力受付処理で入力された情報に基づいて第１要素及び第２要素等のスコアを認識したが、これに限られない。
【０２８３】
スコア情報認識部２１は、例えば、ユーザ端末３０から受信した現状ユーザ情報データに含まれる情報に基づいて、指定の基準に従って、ユーザＵａの肌の状態、体の状態、心の状態、ユーザＵａの行動のそれぞれに関連する各要素をスコア化してもよい。
【０２８４】
例えば、スコア情報認識部２１は、ユーザ端末３０から受信したデータ等に基づいて、ユーザＵａの角層水分量、皮脂量、水分蒸散量、粘弾性、角層状態、電導度、電気信号、脈波、汗、血流、爪の色、写真データ、体のにおい、体の色、主観、舌状態、生活習慣及び手相のスコアを算出してもよい。
【０２８５】
例えば、スコア情報認識部２１は、毎日、ユーザＵａの肌に接着したウェアラブルデバイスから受信したデータ（皮膚電位、汗、心拍数、血流状態）及びユーザ端末３０から受信したユーザＵａの主観に基づいて、ユーザＵａの肌の状態、体の状態、心の状態、ユーザＵａの行動のそれぞれに関連する各要素をスコア化し、さらに加えて、スコア情報認識部２１は、定期的にユーザＵａから郵送される角質採取テープの解析結果に基づいて、ユーザＵａの肌の状態に関連する各要素をスコア化してもよい。
【０２８６】
例えば、スコア情報認識部２１は、毎日、ユーザ端末３０から受信したユーザＵａの肌を撮影した画像データ及びユーザ端末３０から受信したユーザＵａの主観に基づいて、ユーザＵａの肌の状態に関連する各要素をスコア化し、さらに加えて、スコア情報認識部２１は、定期的にユーザＵａから郵送される角質採取テープの解析結果に基づいて、ユーザＵａの肌の状態に関連する各要素をスコア化してもよい。
【０２８７】
例えば、スコア情報認識部２１は、毎日、ユーザＵａの肌に接着したウェアラブルデバイスから受信したデータ（皮膚電位、汗、心拍数、血流状態）及びユーザ端末３０から受信したユーザＵａの主観に基づいて、ユーザＵａの肌の状態、体の状態、心の状態、ユーザＵａの行動のそれぞれに関連する各要素をスコア化し、さらに加えて、スコア情報認識部２１は、定期的にユーザ端末３０から受信したユーザＵａの肌を撮影した画像データに基づいて、ユーザＵａの肌の状態に関連する各要素をスコア化してもよい。
【０２８８】
また、例えば、スコア情報認識部２１は、毎日、ユーザ端末３０から受信したユーザＵａの主観に基づいて、ユーザＵａの肌の状態、体の状態、心の状態、ユーザＵａの行動のそれぞれに関連する各要素をスコア化し、さらに加えて、スコア情報認識部２１は、定期的にユーザＵａから郵送される角質採取テープの解析結果に基づいて、ユーザＵａの肌の状態に関連する各要素をスコア化してもよい。
【０２８９】
例えば、スコア情報認識部２１は、毎日、または一定間隔ごとに、ユーザＵａの肌に接着したウェアラブルデバイスから受信したデータ（皮膚電位、汗、心拍数、血流状態）及びユーザ端末３０から受信したユーザＵａの主観のみに基づいて、ユーザＵａの肌の状態、体の状態、心の状態、ユーザＵａの行動のそれぞれに関連する各要素をスコア化してもよい。
【０２９０】
また、例えば、スコア情報認識部２１は、毎日、または一定間隔ごとに、ユーザ端末３０から受信したユーザＵａの主観のみに基づいて、ユーザＵａの肌の状態、体の状態、心の状態、ユーザＵａの行動のそれぞれに関連する各要素をスコア化してもよい。
【０２９１】
また、例えば、スコア情報認識部２１は、毎日又は定期的にユーザ端末３０から受信したユーザＵａの肌を撮影した画像データのみに基づいて、ユーザＵａの肌の状態に関連する各要素をスコア化してもよい。
【０２９２】
スコア情報認識部２１は、毎日、又は、定期的にユーザＵａに装着した匂いセンサーにより検出されたユーザＵａの体の匂いに基づいて、ユーザＵａの体の状態に関連する各要素をスコア化してもよい。
【０２９３】
予測部２６は、過去のある期間（例えば１週間）におけるユーザＵａの行動等の一の要素に基づいて、不図示の対応表を参照する等により、現時点から所定期間後（例えば３日後）の他の要素のスコア又はその変化量を予測してもよい。
【０２９４】
また、予測部２６は、ユーザＵａの一の要素の有無又は度合いの周期性を認識し、当該周期性に基づいて現時点から所定期間後の他の要素のスコア又はその変化量を予測してもよい。
例えば、予測部２６は、ユーザＵａの一の要素の有無又は度合いの時系列データを離散フーリエ変換により周波数成分に分解し、各周波数におけるピークが閾値を超える割合を求めることにより、ユーザＵａの一の要素の有無又は度合いの周期性を認識する。そして、予測部２６は、一の要素の周期が継続すると仮定して、所定期間における一の要素の回数又は度合いの累計値を推定する。そして、予測部２６は、現時点から所定期間における一の要素の回数又は度合いの累計値と不図示の対応表等を用いて、現時点から所定期間後の他の要素のスコア又はその変化量を予測してもよい。
【０２９５】
予測部２６は、ユーザＵａのデータのみならず、他のユーザＵｂ、Ｕｃに示される過去の一の要素に対する他の要素のスコア又はその変化量も勘案して、現時点から所定期間後のユーザＵａの一の要素のスコア又はその変化量を予測してもよい。
【０２９６】
例えば、予測部２６は、ユーザＵａと同様の体質、属性及び目標のうち少なくとも１つが共通しているユーザを抽出し、これらのユーザの過去の行動のそれぞれに対する処理時点から所定期間後のこれらのユーザの一の要素のスコアの変化量を認識する。予測部２６は、これらのユーザの過去の一の要素のスコアに対する現時点から所定期間後の他の要素のスコアの変化量と、ユーザＵａの一の要素のスコアから、現時点から所定期間後のユーザＵａの他の要素のスコア又はその変化量を予測してもよい。
【０２９７】
予測部２６は、例えば、対応表を参照することにより、ユーザの一の要素に基づいて、ユーザの顔又は体の各部位ごとに、ユーザの他の要素の予測をしてもよい。
【０２９８】
出力制御部は、現時点から所定期間後のユーザＵａの他の要素のスコアを示す画像として、例えば、ユーザＵａの顔写真若しくは体の写真を修正した画像、ユーザＵａを模したアバター画像、アニメキャラクタの画像又は丸等の図形を表示器３１に出力してもよい。
【０２９９】
この場合、例えば、出力制御部は、タッチパネル３２等の入力部に対する操作に応じて、表示した画像を変化させてもよい。
【０３００】
例えば、出力制御部は、入力部に対する第１操作（例えば、横方向へのスライド操作）に応じて、予測の基準となる時点を切り替え、切替後の時点におけるユーザＵａの各要素の予測を示す画像を表示器３１に出力してもよい。例えば、出力制御部は、入力部に対する第１操作に応じて、現時点から１日後、２日後、３日後、・・・におけるユーザの各要素のスコアの予測を示す画像を表示器３１に出力してもよい。ユーザの各要素の予測を示す画像は、現時点から所定期間後のユーザＵａの一の要素のスコア（例えば肌状態）の予測を示す画像であってもよい。現時点から所定期間後のユーザＵａの一の要素のスコア（例えば肌状態）の予測を示す画像は、例えば、３日後のユーザＵａの顔又は体の各部位における肌の状態を文言又は色で示した画像、ユーザＵａの顔の各部位における肌の角層の状態を示す画像であってもよい。
【０３０１】
また、例えば、出力制御部は、入力部に対する第２操作（例えば、縦方向へのスライド操作）に応じて、ユーザＵａの一の要素とは異なる他の要素のスコア（例えば、体状態）の予測を示す画像を表示してもよい。
【０３０２】
現状ユーザ情報認識部２３は、体重計、血圧計、心拍数計などの生体情報収集装置からユーザUaの体質を示すデータを収集してもよい。
【０３０３】
また、現状ユーザ情報認識部２３は、歩数計、睡眠の深さセンサ、目覚めの時刻センサなどの生活情報収集装置等からユーザUaの行動を示すデータを収集してもよい。
【０３０４】
生体情報収集装置及び生活情報収集装置は、例えば、スマートフォンのようにユーザUaにより携帯される装置であってもよいし、スマートウォッチのようにユーザUaに装着される装置であってもよい。これらの装置から、インターネットなどのネットワークを介して肌サポートサーバ１０にユーザUaの識別情報とともに各データが送信されてもよいし、これらの装置からUSB接続などでユーザUaのユーザ端末３０aにデータが送信され、ユーザ端末３０aでユーザUaの識別情報ともに各データが肌サポートサーバ10に送信されてもよい。ユーザ端末３０aに測定用のアプリケーションがインストールがされることでこれらのデータが収集されてもよい。
【０３０５】
また、本発明者らの検討によれば、肌の細胞の撮像画像である肌細胞画像データ、肌の撮像画像である肌画像データ及び舌の撮像画像である舌画像データから、ユーザの行動、体状態、心状態、ユーザの性別及び年齢等の属性、ユーザの体質、及びユーザのライフスタイル（飲酒などの習慣的な行動）の少なくとも1つに関する項目の値を高精度に推定できることが分かった。
【０３０６】
これを利用して、現状ユーザ情報認識部２３は、ユーザUaの肌細胞画像データ、肌細胞データ及び舌画像データのうち少なくとも１つを認識し、スコア情報認識部２１は、入力フォームに入力された各情報に加えてまたは代えて、ユーザUaの肌細胞画像データ、肌細胞データ及び舌画像データのうち少なくとも１つに基づいて、ユーザUaの行動、属性、体質、体状態、心状態及びライフスタイル等の要素のスコアを認識してもよい。
【０３０７】
より具体的には、スコア情報認識部２１は、あらかじめ収集された複数の人の肌細胞画像データ、肌細胞データ及び舌画像データのうち少なくとも１つと、複数の人それぞれの行動、体状態、心状態、属性、体質及びライフスタイル等の特性とを教師データとして、機械学習により、線形推測式又は畳込みニューラルネットワークなどのモデルを構築する。ここで、肌細胞画像データは、例えば、角質採取テープによって採取された細胞を拡大して撮像した画像データであってもよいし、角質染色液又はメラニン染色液などの薬剤による処理後の細胞を撮像した画像データであってもよい。
【０３０８】
例えば、肌サポートサーバ１０に設けられた撮像部が肌細胞を撮像してもよいし、スマートフォン等のカメラが撮像した肌細胞の画像データを肌サポートサーバ１０がスマートフォン等から受信してもよい。
【０３０９】
また、肌画像データは、スマートフォンなどで人の顔又は腕の肌を撮像した画像であってもよい。例えば、肌サポートサーバ１０に設けられた撮像部が肌を撮像してもよいし、スマートフォン等のカメラが撮像した肌の画像データを肌サポートサーバ１０がスマートフォン等から受信してもよい。
【０３１０】
また、舌画像データは、スマートフォンなどで人の舌を撮像した画像であってもよい。
例えば、肌サポートサーバ１０に設けられた撮像部が舌を撮像してもよいし、スマートフォン等のカメラが撮像した舌の画像データを肌サポートサーバ１０がスマートフォン等から受信してもよい。
【０３１１】
複数の人それぞれの行動、属性、体質、体状態、心状態及びライフスタイル等の特性は、例えば、当該複数の人からのヒアリングされたものであってもよい。体重計、血圧計、心拍数計などの生体情報収集装置から複数の人それぞれの体質を示すデータが収集されてもよい。歩数計、睡眠の深さセンサ、目覚めの時刻センサなどの生活情報収集装置等から複数の人それぞれのライフスタイルを示すデータが収集されてもよい。
【０３１２】
また、現状ユーザ情報認識部２３は、ユーザUaの角質採取テープ３７aで採取された細胞の撮像画像である肌細胞画像データ、ユーザUaの肌の撮像画像である肌画像データ及びユーザUaの舌の撮像画像である舌画像データを認識する。
【０３１３】
現状ユーザ情報認識部２３は、肌サポートサーバ１０に設けられた撮像部が撮像した、ユーザUaの角質採取テープ３７aで採取されたユーザUaの肌細胞の画像データを取得してもよい。
これに加えてまたは代えて、現状ユーザ情報認識部２３は、ユーザ端末３０aのカメラ３３aが撮像した、ユーザUaの角質採取テープ３７aで採取されたユーザUaの肌細胞の画像データをユーザ端末３０aから受信してもよい。
【０３１４】
また、現状ユーザ情報認識部２３は、肌サポートサーバ１０に設けられた撮像部が撮像したユーザUaの肌の画像データを取得してもよい。これに代えてまたは加えて、現状ユーザ情報認識部２３は、ユーザ端末３０aのカメラ３３aが撮像した肌の画像データをユーザ端末３０aから受信してもよい。
【符号の説明】
【０３１５】
１…通信ネットワーク、１０…肌サポートサーバ、１１‥肌状態認識部、１２…施策グループ選択部、１３…施策情報送信部、１９…２次データ生成部、２０…サポートＤＢ（データベース）、２１‥スコア情報認識部、２２‥関係認識部、２３‥現状ユーザ情報認識部、２４‥第１要素認識部、２５‥第２要素抽出部、２６‥予測部、２７‥目標認識部、２８‥行動認識部、３０（３０ａ，３０ｂ，３０ｃ）…ユーザ端末（スマートフォン）、３１…表示器（出力部）、３２…タッチパネル（入力部）、３３…カメラ、３４…マイク、３５…ＣＰＵ、３５ａ…肌サポートアプリ（ユーザ情報認識部、出力制御部）、３６…メモリ、４０…接続端子、４５…測定機器。
【図１】
2019075120.tif 000004
【図２】
2019075120.tif 000005
【図３】
2019075120.tif 000006
【図４】
2019075120.tif 000007
【図５】
2019075120.tif 000008
【図６】
2019075120.tif 000009
【図７】
2019075120.tif 000010
【図８】
2019075120.tif 000011
【図９】
2019075120.tif 000012
【図１０】
2019075120.tif 000013
【図１１】
2019075120.tif 000014
【図１２】
2019075120.tif 000015
【図１３】
2019075120.tif 000016
【図１４】
2019075120.tif 000017
【図１５】
2019075120.tif 000018
【図１６】
2019075120.tif 000019
【図１７】
2019075120.tif 000020
【図１８】
2019075120.tif 000021
【図１９】
2019075120.tif 000022
【図２０】
2019075120.tif 000023
【図２１】
2019075120.tif 000024
【図２２】
2019075120.tif 000025
【図２３】
2019075120.tif 000026
【図２４】
2019075120.tif 000027
【図２５】
2019075120.tif 000028
【図２６】
2019075120.tif 000029
【図２７】
2019075120.tif 000030